(57)【要約】  無線アクセスネットワーク（ＲＡＮ）ノード、コアネットワーク（ＣＮ）ノード、および、ワイヤレス通信ネットワークにおいてワイヤレスデバイスをページングするための、それらのノードによって実施されるそれぞれの方法が提供される。ＲＡＮノードによって実施される方法は、ページング戦略情報をコアネットワーク（ＣＮ）ノードと交換すること（１１０）と、交換されたページング戦略情報に従ってワイヤレスデバイスのＲＡＮページング手順を実施すること（１２０）と、実施されたページング手順の結果に基づいて、ページング戦略情報を更新すること（１８０）とを含む。【選択図】図１ａ
2019525665.tif 000002
【特許請求の範囲】
【請求項１】
ワイヤレス通信ネットワークにおいてワイヤレスデバイスをページングするための無線アクセスネットワーク（ＲＡＮ）ノードによって実施される方法であって、
ページング戦略情報をコアネットワーク（ＣＮ）ノードと交換すること（１１０）と、
前記交換されたページング戦略情報に従って前記ワイヤレスデバイスのＲＡＮページング手順を実施すること（１２０）と、
前記実施されたページング手順の結果に基づいて、前記ページング戦略情報を更新すること（１８０）と
を含む、方法（１００）。
【請求項２】
前記ページング戦略情報を前記更新すること（１８０）は、前記ＣＮノードから更新されたページング戦略情報を受信することを含む、請求項１に記載の方法（１００）。
【請求項３】
前記ページング戦略情報を前記更新すること（１８０）は、前記実施されたページング手順の結果を評価することを含む、請求項１または２に記載の方法（１００）。
【請求項４】
前記ページング戦略情報を前記交換すること（１１０）は、エボルブド無線アクセスベアラ（Ｅ−ＲＡＢ）管理手順のメッセージ内の１つまたは複数の情報要素によって、および／または、ユーザ機器（ＵＥ）コンテクスト管理手順のメッセージ内の１つまたは複数の情報要素によって、および／または、前記ＲＡＮノードと前記ＣＮノードとの間の制御シグナリングによって実施される、請求項１から３のいずれか一項に記載の方法（１００）。
【請求項５】
前記実施されたＲＡＮページング手順の前記結果が、ａ）前記ワイヤレスデバイスに到達するのに失敗した、またはｂ）所定のタイムフレーム内に前記ワイヤレスデバイスに到達するのに失敗した、またはｃ）前記ＲＡＮノードによって決定される他の理由に起因する失敗であるとき、前記方法（１００）は、前記ＣＮノードに、前記ワイヤレスデバイスの第１のＣＮページング手順を実施することを求める要求（１３０）を送ることを含む、請求項１から４のいずれか一項に記載の方法（１００）。
【請求項６】
前記ワイヤレスデバイスの前記第１のＣＮページング手順を実施することを求める前記要求（１３０）を前記ＣＮノードに前記送ることは、前記ＣＮノードに、前記実施されるＲＡＮページング手順に関する情報を提供することを含む、請求項５に記載の方法（１００）。
【請求項７】
前記実施されたＲＡＮページング手順の前記結果が、ａ）前記ワイヤレスデバイスに到達するのに失敗した、またはｂ）所定のタイムフレーム内に前記ワイヤレスデバイスに到達するのに失敗した、またはｃ）前記ＲＡＮノードによって決定される他の理由に起因する失敗であるとき、前記方法（１００）は、前記ＣＮノードに、第２のＣＮページング手順を実施することを求める要求（１４０）を送ることを含む、請求項１から６のいずれか一項に記載の方法（１００）。
【請求項８】
前記第２のＣＮページング手順を実施することを求める前記要求（１４０）を前記ＣＮノードに前記送ることは、前記ＣＮノードに、前記実施されるＲＡＮページング手順に関する情報を提供することを含む、請求項７に記載の方法（１００）。
【請求項９】
前記方法（１００）は、前記実施されたＲＡＮページング手順の前記結果を評価すること（１５０）と、前記評価されている結果に基づいて前記ページング戦略情報を更新すること（１８０）と、前記ＣＮノードとページング戦略情報を交換すること（１１０）とをさらに含む、請求項１から８のいずれか一項に記載の方法（１００）。
【請求項１０】
前記実施されたページング手順の前記結果を前記評価することは、ページング遅延が所定の時間間隔内であるか否かを決定することを含む、請求項９に記載の方法（１００）。
【請求項１１】
ワイヤレス通信ネットワークにおいてワイヤレスデバイスをページングするためのコアネットワーク（ＣＮ）ノードによって実施される方法（２００）であって、前記方法（２００）は、
ページング戦略情報を無線アクセスネットワーク（ＲＡＮ）ノードと交換すること（２１０）と、
前記ワイヤレスデバイスをページングすることを求める要求を、前記ＲＡＮノードから受信すること（２２０）と、
前記受信された要求に従って前記ワイヤレスデバイスの前記ページングを実施すること（２３０）と
を含む、方法（２００）。
【請求項１２】
前記ワイヤレスデバイスをページングすることを求める、前記ＲＡＮノードから受信された前記要求は、前記ＣＮノードに、前記ＲＡＮノードから前記ページング手順を引き継ぐように要求し、前記ページング手順を前記実施すること（２３０）は、前記ページング戦略情報、および、任意選択的に、前記ＲＡＮノードから受信された前記要求内に含まれる情報を前記ページング手順に適用することを含む、請求項１１に記載の方法（２００）。
【請求項１３】
前記実施されたページング手順の結果が、ワイヤレスデバイスへの到達の成功であるとき、前記方法（２００）は、前記実施されたページング手順の結果を評価すること（２４０）と、前記評価されている結果に基づいて前記ページング戦略情報を更新すること（２５０）と、前記ＲＡＮノードとページング戦略情報を交換すること（２１０）とをさらに含む、請求項１１または１２に記載の方法（２００）。
【請求項１４】
前記ワイヤレスデバイスをページングすることを求める、前記ＲＡＮノードから受信された前記要求は、前記ＣＮノードに、ページング試行を実施することを要求し、前記受信された要求は、前記ＣＮノードが前記要求されているページング試行を実施することを有効にする情報を含み、前記ワイヤレスデバイスの前記ページングを前記実施すること（２３０）は、前記受信された要求に従って、かつ、前記ＲＡＮノードから受信された前記要求内に含まれる情報に照らして実施される、請求項１１に記載の方法（２００）。
【請求項１５】
前記実施されたページング手順の結果が、ワイヤレスデバイスへの到達の成功であるとき、前記方法（２００）は、前記実施されたページング手順の結果を評価すること（２４０）と、前記評価されている結果に基づいて前記ページング戦略情報を更新すること（２５０）と、前記ＲＡＮノードとページング戦略情報を交換すること（２１０）とをさらに含む、請求項１１または１４に記載の方法（２００）。
【請求項１６】
前記方法（２００）は、ＲＡＮノードにおけるＵＥコンテクストを確立すること（２６０）をさらに含む、請求項１１から１５のいずれか一項に記載の方法（２００）。
【請求項１７】
ワイヤレス通信ネットワークにおいてワイヤレスデバイスをページングするための無線アクセスネットワーク（ＲＡＮ）ノード（４００、５００）であって、前記ＲＡＮノード（４００、５００）は、
ページング戦略情報をコアネットワーク（ＣＮ）ノードと交換することと、
前記交換されたページング戦略情報に従って前記ワイヤレスデバイスのＲＡＮページング手順を実施することと、
前記実施されたページング手順の結果に基づいて、前記ページング戦略情報を更新することと
を行うように設定されている、ＲＡＮノード（４００、５００）。
【請求項１８】
前記ＣＮノードから前記更新されたページング戦略情報を受信することによって、前記ページング戦略情報を更新するように設定されている、請求項１７に記載のＲＡＮノード（４００、５００）。
【請求項１９】
前記実施されたページング手順の結果を評価することによって、前記ページング戦略情報を更新するように設定されている、請求項１７または１８に記載のＲＡＮノード（４００、５００）。
【請求項２０】
前記ページング戦略情報を前記交換することは、エボルブド無線アクセスベアラ（Ｅ−ＲＡＢ）管理手順のメッセージ内の１つまたは複数の情報要素によって、および／または、ユーザ機器（ＵＥ）コンテクスト管理手順のメッセージ内の１つまたは複数の情報要素によって、および／または、前記ＲＡＮノードと前記ＣＮノードとの間の制御シグナリングによって実施される、請求項１７から１９のいずれか一項に記載のＲＡＮノード（４００、５００）。
【請求項２１】
前記実施されたＲＡＮページング手順の前記結果が、ａ）前記ワイヤレスデバイスに到達するのに失敗した、またはｂ）所定のタイムフレーム内に前記ワイヤレスデバイスに到達するのに失敗した、またはｃ）前記ＲＡＮノードによって決定される他の理由に起因する失敗であるとき、前記ＲＡＮノード（４００、５００）は、前記ＣＮノードに、前記ワイヤレスデバイスの第１のＣＮページング手順を実施することを求める要求を送るように設定されている、請求項１７から２０のいずれか一項に記載のＲＡＮノード（４００、５００）。
【請求項２２】
前記ワイヤレスデバイスの前記第１のＣＮページング手順を実施することを求める前記要求を前記ＣＮノードに前記送ることは、前記ＣＮノードに、前記実施されるＲＡＮページング手順に関する情報を提供することを含む、請求項２１に記載のＲＡＮノード（４００、５００）。
【請求項２３】
前記実施されたＲＡＮページング手順の前記結果が、ａ）前記ワイヤレスデバイスに到達するのに失敗した、またはｂ）所定のタイムフレーム内に前記ワイヤレスデバイスに到達するのに失敗した、またはｃ）前記ＲＡＮノードによって決定される他の理由に起因する失敗であるとき、前記ＲＡＮノード（４００、５００）は、前記ＣＮノードに、第２のＣＮページング手順を実施することを求める要求を送るように設定されている、請求項１７から２２のいずれか一項に記載のＲＡＮノード（４００、５００）。
【請求項２４】
前記第２のＣＮページング手順を実施することを求める前記要求を前記ＣＮノードに前記送ることは、前記ＣＮノードに、前記実施されるＲＡＮページング手順に関する情報を提供することを含む、請求項２３に記載のＲＡＮノード（４００、５００）。
【請求項２５】
前記ＲＡＮノード（４００、５００）は、前記実施されたＲＡＮページング手順の前記結果を評価することと、前記評価されている結果に基づいて前記ページング戦略情報を更新することと、前記ＣＮノードとページング戦略情報を交換することとを行うようにさらに設定されている、請求項１７から２４のいずれか一項に記載のＲＡＮノード（４００、５００）。
【請求項２６】
前記ＲＡＮノード（４００、５００）は、ページング遅延が所定の時間間隔内であるか否かを決定することによって、前記実施されたページング手順の前記結果を評価するように設定されている、請求項２５に記載のＲＡＮノード（４００、５００）。
【請求項２７】
ワイヤレス通信ネットワークにおいてワイヤレスデバイスをページングするためのコアネットワーク（ＣＮ）ノード（６００、７００）であって、前記ＣＮノード（６００、７００）は、
ページング戦略情報を無線アクセスネットワーク（ＲＡＮ）ノードと交換することと、
前記ワイヤレスデバイスをページングすることを求める要求を、前記ＲＡＮノードから受信することと、
前記受信された要求に従って前記ワイヤレスデバイスの前記ページングを実施することと
を行うように設定されている、ＣＮノード（６００、７００）。
【請求項２８】
前記ワイヤレスデバイスをページングすることを求める、前記ＲＡＮノードから受信された前記要求は、前記ＣＮノードに、前記ＲＡＮノードから前記ページング手順を引き継ぐように要求し、前記ページング手順を前記実施することは、前記ＣＮノード（６００、７００）が、前記ページング戦略情報、および、任意選択的に、前記ＲＡＮノードから受信された前記要求内に含まれる情報を前記ページング手順に適用するように設定されることを含む、請求項２７に記載のＣＮノード（６００、７００）。
【請求項２９】
前記実施されたページング手順の結果が、ワイヤレスデバイスへの到達の成功であるとき、前記ＣＮノード（６００、７００）は、前記実施されたページング手順の結果を評価することと、前記評価されている結果に基づいて前記ページング戦略情報を更新することと、前記ＲＡＮノードとページング戦略情報を交換することとを行うようにさらに設定されている、請求項２７または２８に記載のＣＮノード（６００、７００）。
【請求項３０】
前記ワイヤレスデバイスをページングすることを求める、前記ＲＡＮノードから受信された前記要求が、前記ＣＮノードに、ページング試行を実施することを要求し、前記受信された要求は、前記ＣＮノードが前記要求されているページング試行を実施することを有効にする情報を含み、前記ＣＮノード（６００、７００）は、前記受信された要求に従って、かつ、前記ＲＡＮノードから受信された前記要求内に含まれる情報に照らして前記ワイヤレスデバイスの前記ページングを実施するように設定されている、請求項２７に記載のＣＮノード（６００、７００）。
【請求項３１】
前記実施されたページング手順の結果が、ワイヤレスデバイスへの到達の成功であるとき、前記ＣＮノード（６００、７００）は、前記実施されたページング手順の結果を評価することと、前記評価されている結果に基づいて前記ページング戦略情報を更新することと、前記ＲＡＮノードとページング戦略情報を交換することとを行うようにさらに設定されている、請求項２７または３０に記載のＣＮノード（６００、７００）。
【請求項３２】
ＲＡＮノードにおけるＵＥコンテクストを確立するようにさらに設定されている、請求項２７から３１のいずれか一項に記載のＣＮノード（６００、７００）。
【請求項３３】
請求項１７から２６のいずれか一項に記載の無線アクセスネットワーク（ＲＡＮ）ノード（５００）内の構成（８００）内に含まれる処理ユニット（８０６）において作動されると、前記ＲＡＮノード（５００）に、請求項１から１０のいずれか一項に記載の対応する方法を実施させるコンピュータ可読コード手段を備える、コンピュータプログラム（８１０）。
【請求項３４】
請求項３３に記載のコンピュータプログラム（８１０）を備える、コンピュータプログラム製品（８０８）。
【請求項３５】
請求項２７から３２のいずれか一項に記載のコアネットワーク（ＣＮ）ノード（７００）内の構成（９００）内に含まれる処理ユニット（９０６）において作動されると、前記ＣＮノード（７００）に、請求項１１から１６のいずれか一項に記載の対応する方法を実施させるコンピュータ可読コード手段を備える、コンピュータプログラム（９１０）。
【請求項３６】
請求項３４に記載のコンピュータプログラム（９１０）を備える、コンピュータプログラム製品（９０８）。
【発明の詳細な説明】
【技術分野】
【０００１】
本開示は、ワイヤレス通信に関し、特に、ワイヤレス通信ネットワークにおいてワイヤレスデバイスをページングすることに関する。
【背景技術】
【０００２】
第３世代パートナーシッププロジェクト（３ＧＰＰ）は現在、ロングタームエボリューション（ＬＴＥ）概念のリリース１３の標準化に取り組んでいる。無線アクセスノード（エボルブドＮｏｄｅ  Ｂ−ｅＮＢ、ホームｅＮＢ−ＨｅＮＢ、ＨｅＮＢゲートウェイ−ＧＷ）およびエボルブドパケットコアノード（移動性管理エンティティ（ＭＭＥ）／サービング（Ｓ）−ＧＷ）を含むＬＴＥシステムのアーキテクチャが、図３ａに示されている。見てとれるように、Ｓ１インターフェースはＨｅＮＢ／ｅＮＢをＭＭＥ／Ｓ−ＧＷに接続し、ＨｅＮＢをＨｅＮＢ  ＧＷに接続し、一方、Ｘ２インターフェースは、ピアｅＮＢ／ＨｅＮＢを、任意選択的にＸ２ＧＷを介して接続する。
【０００３】
本開示において可能な例示的な管理システムが、図３ｂに示されている。ｅＮｏｄｅＢとしても参照されるノード要素（ＮＥ）は、オペレーションサポートシステム（ＯＳＳ）としても参照されるドメインマネージャ（ＤＭ）によって管理される。ドメインマネージャ（ＤＭ）は、ネットワークマネージャ（ＮＭ）によってさらに管理され得る。２つのＮＥはＸ２によってインターフェースされ、一方、２つのＤＭの間のインターフェースは、インターフェースＰを表すＩｔｆ−Ｐ２Ｐとして参照される。管理システムは、ネットワーク要素を設定するとともに、ネットワーク要素内の特徴と関連付けられる観測値を受信することができる。例えば、ＤＭはＮＥを観測および設定し、一方、ＮＭはＤＭを観測および設定するとともに、ＤＭを介してＮＥを観測および設定する。
【０００４】
ＤＭを介して設定することによって、ＮＭおよび関連するインターフェースは、Ｘ２を介して機能し、コアネットワーク、すなわちＭＭＥおよびＳ−ＧＷを含む可能性がある無線アクセスネットワーク（ＲＡＮ）全体を通じてＳ１インターフェースを協調的に実行することができる。
【０００５】
プロシージャネットワークトリガ式サービス要求は、ページングを使用して、コアネットワーク（ＣＮ）と、例えばユーザ機器（ＵＥ）などのワイヤレスデバイスとの間のシグナリング接続を確立することができる。ネットワークトリガ式サービス要求手順に対するイベントのトリガのいくつかの例は、移動局着信ショートメッセージサービス（ＳＭＳ）のシグナリング、ダウンリンクユーザデータおよびダウンリンク非アクセス層（ＮＡＳ）制御シグナリングである。
【０００６】
３ＧＰＰネットワークによってサーブされる、ＵＥとしても参照されるワイヤレスデバイスは、登録エリアとしても知られているサービングエリアにおいて、ＣＮによって登録される。ＬＴＥにおいて、登録エリアは、トラッキングエリアのリスト、すなわち、非アクセス層トラッキングエリアアイデンティティ（ＮＡＳ  ＴＡＩ）リストを含む。登録エリアの目的は、無線アクセス制御（ＲＲＣ）−ＩＤＬＥ内のＵＥが、ＣＮに一切シグナリングすることなく、ＮＡＳ  ＴＡＩリスト内のトラッキングエリアのセル間で移動し、セルを変更することを可能にすることである。ＵＥが、その登録エリアの一部でないセルに移動すると、ＵＥは、トラッキングエリア更新（ＴＡＵ）手順を開始するように要求され、新たなロケーションにおいて登録されることを要求し、ＵＥは、新たな登録エリアを割り当てられる。
【０００７】
ＣＮは、ページングを使用して、ワイヤレスデバイス（例えば、ＵＥ）を、ＣＮとのシグナリング交換のために連絡可能にする。ワイヤレスデバイスがその登録エリアに留まっていることは分かっているため、ＣＮは、登録エリアＮＡＳ  ＴＡＩリストの一部であるトラッキングエリアのすべてのセルにページングメッセージを送ることを選択することができる。その後、無線接続を有するワイヤレスデバイスが、ワイヤレスデバイスが現在留まっているセル内でのページングに応答することが保証される。
【０００８】
しかしながら、多数のセルにおけるページングは、ＣＮとＲＡＮの両方において高いシグナリング負荷を引き起こすため、ＮＡＳ  ＴＡＩリストのすべてのセルにわたるページングは通常、使用されない。
【０００９】
ＭＭＥによって実施されるページングの実現は、ＭＭＥが、ＵＥ登録エリアの一部のみをカバーするように、第１のページング要求をＲＡＮに送るように、最適化され得る。ＵＥが応答しない場合、ＭＭＥはページング要求を繰り返し、また、ページング要求が登録エリアのより大きい部分をカバーするようにもする。
【００１０】
ネットワークトリガ式サービス要求実行のためのページング戦略の判断において、ＭＭＥは、追加の情報を使用して、いずれの優先度でＵＥとのシグナリング交換が要求されるかを決定することができる。ネットワークトリガ式サービス要求実行は、例えば、ＩＤＬＥ状態にあるＵＥへのダウンリンク（ユーザまたは制御）データ送信によってトリガされる。３ＧＰＰ  ２３．４０１  ｖ１３  ｃｈａｐｔｅｒ  ５．３．４．２を参照されたい。
【００１１】
５Ｇタイムフレームの課題を達成するようにＬＴＥアーキテクチャを発展させるか否か、および、どのように発展させるかは、まだ３ＧＰＰによって指定されていない。
【００１２】
Ｓ１、Ｘ２およびＵｕインターフェースの対応する発展型が存在することになること、ならびに、ＬＴＥ二重接続が規定されたのと同様にして、任意の新たな無線アクセス技術（ＲＡＴ）がＲＡＮレベルにおいてＬＴＥ無線インターフェースと統合されることが仮定される。
【００１３】
本開示において記載されている方法、方式およびシステムの全体的な原理は、ＬＴＥのようなアーキテクチャと、Ｓ１インターフェースの発展に基づく新たなアーキテクチャの両方に作用する。
【００１４】
ＲＲＣ保留
【００１５】
３ＧＰＰ  ｔｅｃｈｎｉｃａｌ  ｓｐｅｃｉｆｉｃａｔｉｏｎ  ２３．４０１  ｃｈａｐｔｅｒ  ５．３．４Ａ  ｖｅｒｓｉｏｎ  １３．６．０には、ＲＲＣ保留原理に関する記述がある。
【００１６】
現行のＥＰＳネットワークにおいて、シグナリングオーバヘッドおよび負荷に主に寄与するものは、ＵＥ状態遷移のために、すなわち、アイドル状態と接続状態との間の遷移において使用される手順である。
【００１７】
図３ｃは、ＵＥがユーザプレーンデータを転送／受信することを可能にするための接続を確立および終了するために必要とされる現行のＳ１／ＥＰＳアーキテクチャベースの手順、すなわち、ＵＥアイドル／接続状態遷移において適用可能な手順を示す。見てとれるように、小さいデータトランザクションのために、Ｕｕ（無線）およびＳ１インターフェースに対して相当のシグナリングオーバヘッドがある。
【００１８】
ネットワークにおけるシグナリングオーバヘッドおよび関連付けられる処理負荷を低減するために、ＳＡ２およびＲＡＮ  ＷＧは、Ｒｅｌ−１３において、ＲＲＣ接続が保留される、または後に再開されることを可能にし、アイドルから接続への状態遷移のために全シグナリング手順を経る必要性を最小限に抑えるソリューションを導入している。例えば、３ＧＰＰ  ２３．４０１  ｖ１３．６．０  ｃｈａｐｔｅｒ  ５．３．４Ａを参照されたい。この解決策は、通常のＬＴＥ  ＵＥおよびモノのインターネット（ＩｏＴ）ＵＥの両方に適用可能である。
【００１９】
採用されているソリューションは、その時間のほとんどにおいて、ＵＥが、記憶されているＲＲＣコンテクストを有するノードに再接続するか、または、当該ノードに再出現すると仮定して、ＵＥがＩＤＬＥから復帰するときにＲＲＣ接続を再びセットアップする必要性を回避して、ＲＲＣ接続を再開することを可能にするための、ＩＤＬＥ状態に対する増強に基づく。この手順は、図３ｄに示されている。
【００２０】
以下のメカニズムが、スマートページングのために利用され得る。図３ｃにおけるシグナリングフローについて、ｅＮＢからＭＭＥへのＳ１ＡＰメッセージ「ＵＥコンテクスト解放完了（ＵＥ  ｃｏｎｔｅｘｔ  Ｒｅｌｅａｓｅ  Ｃｏｍｐｌｅｔｅ）」、任意選択の情報要素（ＩＥ）「ページングに推奨されるセルおよびｅＮＢに関する情報（Ｉｎｆｏｒｍａｔｉｏｎ  ｏｎ  Ｒｅｃｏｍｍｅｎｄｅｄ  Ｃｅｌｌｓ  ａｎｄ  ｅＮＢｓ  ｆｏｒ  Ｐａｇｉｎｇ）」が導入され、ここで、ｅＮＢは、セルグローバルアイデンティティ（ＣＧＩ）、および推奨されるセルの滞在される時間、および、推奨されるｅＮＢのグローバルｅＮＢ  ＩＤ／ＴＡＩを提供する。ｅＮＢは、ｅＮＢが利用されるワイヤレス通信環境内でｅＮＢを一意に規定するアイデンティティまたは識別子（ＩＤ）を有する。ｅＮＢ−ＩＤは、２０ビットまたは２８ビットのいずれかを有することができる。ｅＮＢ−ＩＤは、ｅＮｏｄｅＢをグローバルに一意に識別するグローバルｅＮＢ−ＩＤ内にも含まれる。グローバルｅＮＢ−ＩＤは、運用地域識別コード（ＭＣＣ）、電気通信事業者識別コード（ＭＮＣ）、およびｅＮＢ−ＩＤから構築される。ＴＡＩについては、例えば、３ＧＰＰ  ２４．３０１  ｖ１３．５．０  ｃｈａｐｔｅｒ  ９．９．３．３２を参照されたい。ｅＮｏｄｅＢはまた、保留の開始を指示するために実施されるＳ１ＡＰシグナリング内にもある、ページングに推奨されるセルに関する情報をも含むことができる。上述したように、３ＧＰＰ  ｔｅｃｈｎｉｃａｌ  ｓｐｅｃｉｆｉｃａｔｉｏｎ  ２３．４０１  ｃｈａｐｔｅｒ  ５．３．４Ａ  ｖｅｒｓｉｏｎ  １３．６．０には、ＲＲＣ保留原理に関する記述がある。
【００２１】
ＭＭＥからｅＮＢへのＳ１ＡＰメッセージ「ページング」において、任意選択のＩＥ「ページングのための支援データ（Ａｓｓｉｓｔａｎｃｅ  Ｄａｔａ  ｆｏｒ  Ｐａｇｉｎｇ）」が導入され、ここで、ＭＭＥは、ＣＧＩおよび推奨されるセルの滞在される時間、およびページング試行カウントを提供する。
【００２２】
以下のメカニズムが、ＲＲＣ接続時間ハンドリングのために利用され得る。ＭＭＥからｅＮＢへの「初期コンテクストセットアップ要求（Ｉｎｉｔｉａｌ  Ｃｏｎｔｅｘｔ  Ｓｅｔｕｐ  Ｒｅｑｕｅｓｔ）」および「ハンドオーバ要求（Ｈａｎｄｏｖｅｒ  Ｒｅｑｕｅｓｔ）」の両方のＳ１ＡＰメッセージにおいて、任意選択のＩＥ「予測ＵＥ挙動（Ｅｘｐｅｃｔｅｄ  ＵＥ  Ｂｅｈａｖｉｏｕｒ）」が導入され、ここで、ＭＭＥは、ＵＥに関する予測される活動期間、アイドル期間およびハンドオーバ間隔に関する情報を提供する。
【発明の概要】
【００２３】
目的は、ワイヤレスデバイスのページング手順をさらに改善することである。特に、目的は、無線アクセスネットワーク（ＲＡＮ）ノード、コアネットワーク（ＣＮ）ノード、および、ワイヤレス通信ネットワークにおいてワイヤレスデバイスをページングするための、それらのノードによって実施されるそれぞれの方法を提供することである。これらの目的および他の目的は、添付の独立請求項に記載の、ＲＡＮノード、ＣＮノード、ならびに、ＲＡＮノードおよびＣＮノードにおける方法を提供することによって達成することができる。
【００２４】
一態様によれば、ワイヤレス通信ネットワークにおいてワイヤレスデバイスをページングするためのＲＡＮノードによって実施される方法が提供される。方法は、ページング戦略情報をＣＮノードと交換することと、交換されたページング戦略情報に従ってワイヤレスデバイスのＲＡＮページング手順を実施することと、実施されたページング手順の結果に基づいて、ページング戦略情報を更新することとを含む。
【００２５】
一態様によれば、ワイヤレス通信ネットワークにおいてワイヤレスデバイスをページングするためのＣＮノードによって実施される方法が提供される。方法は、ページング戦略情報をＲＡＮノードと交換することと、ＲＡＮノードから、ワイヤレスデバイスをページングすることを求める要求を受信することと、受信された要求に従ってワイヤレスデバイスのページングを実施することとを含む。
【００２６】
一態様によれば、ワイヤレス通信ネットワークにおいてワイヤレスデバイスをページングするためのＲＡＮノードが提供される。ＲＡＮノードは、ページング戦略情報をＣＮノードと交換することと、交換されたページング戦略情報に従ってワイヤレスデバイスのＲＡＮページング手順を実施することと、実施されたページング手順の結果に基づいて、ページング戦略情報を更新することとを行うように設定されている。
【００２７】
一態様によれば、ワイヤレス通信ネットワークにおいてワイヤレスデバイスをページングするためのＣＮノードが提供される。ＣＮノードは、ページング戦略情報をＲＡＮノードと交換することと、ＲＡＮノードから、ワイヤレスデバイスをページングすることを求める要求を受信することと、受信された要求に従ってワイヤレスデバイスのページングを実施することとを行うように設定されている。
【００２８】
ＲＡＮノードによって実施される方法、ＣＮノードによって実施される方法、ＲＡＮノードおよびＣＮノードには、いくつかの利点がある。１つの可能な利点は、ページングリソースの使用および／または無線リソース使用を最小限にして、ワイヤレスデバイスをページングすることができることである。別の可能な利点は、ページングがＲＡＮノードによってトリガされるか、または、ＣＮノードによってトリガされるかとは無関係に、ワイヤレスデバイスが、同じページング間隔のみに対して連続的にリスンする必要があり得ることである。ページング戦略を同調させることによって、ワイヤレスデバイスは、ＣＮノードがページングを実施しているか、または、ＲＡＮノードが実施しているかに応じて別様に設定される必要がなく、これによって、ワイヤレスデバイスに対するシグナリング負荷が低減する。
【００２９】
ここで、添付の図面および実施形態を参照して本発明をより詳細に記載する。
【図面の簡単な説明】
【００３０】
【図１ａ】例示的な実施形態による、ワイヤレス通信ネットワークにおいてワイヤレスデバイスをページングするためのＲＡＮノードによって実施される方法の流れ図である。
【図１ｂ】他の例示的な実施形態による、ワイヤレス通信ネットワークにおいてワイヤレスデバイスをページングするためのＲＡＮノードによって実施される方法の流れ図である。
【図１ｃ】また他の例示的な実施形態による、ワイヤレス通信ネットワークにおいてワイヤレスデバイスをページングするためのＲＡＮノードによって実施される方法の流れ図である。
【図１ｄ】別の例示的な実施形態による、ワイヤレス通信ネットワークにおいてワイヤレスデバイスをページングするためのＲＡＮノードによって実施される方法の流れ図である。
【図２ａ】例示的な実施形態による、ワイヤレス通信ネットワークにおいてワイヤレスデバイスをページングするためのＣＮノードによって実施される方法の流れ図である。
【図２ｂ】別の例示的な実施形態による、ワイヤレス通信ネットワークにおいてワイヤレスデバイスをページングするためのＣＮノードによって実施される方法の流れ図である。
【図２ｃ】また他の例示的な実施形態による、ワイヤレス通信ネットワークにおいてワイヤレスデバイスをページングするためのＣＮノードによって実施される方法の流れ図である。
【図３ａ】ｅＮＢとＨｅＮＢとの間（Ｘ２）およびｅＮＢ／ＨｅＮＢとＭＭＥ／Ｓ−ＧＷとの間（Ｓ１）の論理インターフェースを図解するＬＴＥアーキテクチャの図である。
【図３ｂ】管理システムアーキテクチャ例の図である。
【図３ｃ】レガシ接続セットアップおよび解放手順のシグナリング図である。
【図３ｄ】以前に保留されたＲＲＣ接続を再開するための手順のシグナリング図である。
【図４】例示的な実施形態による、ワイヤレス通信ネットワークにおいてワイヤレスデバイスをページングするためのＲＡＮノードのブロック図である。
【図５】他の例示的な実施形態による、ワイヤレス通信ネットワークにおいてワイヤレスデバイスをページングするためのＲＡＮノードのブロック図である。
【図６】例示的な実施形態による、ワイヤレス通信ネットワークにおいてワイヤレスデバイスをページングするためのＣＮノードのブロック図である。
【図７】また他の例示的な実施形態による、ワイヤレス通信ネットワークにおいてワイヤレスデバイスをページングするためのＣＮノードのブロック図である。
【図８】例示的な実施形態による、ワイヤレス通信ネットワークにおいてワイヤレスデバイスをページングするためのＲＡＮノード内の構成のブロック図である。
【図９】例示的な実施形態による、ワイヤレス通信ネットワークにおいてワイヤレスデバイスをページングするためのＣＮノード内の構成のブロック図である。
【発明を実施するための形態】
【００３１】
本開示の目的は、ワイヤレス通信ネットワークにおいて効率的で信頼性のあるページングを有効にするための方法を提供することである。本開示において記載されている１つまたは複数の任意選択の実施形態の別の目的は、ページングレイテンシ要件および特性を満たす適切なＲＡＮページング戦略の選択を有効にするための方法を提供することである。
【００３２】
本明細書における実施形態は、ワイヤレス通信ネットワークにおいてワイヤレスデバイスをページングするための無線アクセスネットワーク（ＲＡＮ）ノードによって実施される方法に関する。そのような方法の異なる実施形態および例を、ここで図１ａ〜図１ｄを参照しながら記載する。
【００３３】
図１ａは、ページング戦略情報をコアネットワーク（ＣＮ）ノードと交換すること１１０と、交換されたページング戦略情報に従ってワイヤレスデバイスのＲＡＮページング手順を実施すること１２０と、実施されたページング手順の結果に基づいて、ページング戦略情報を更新すること１８０とを含む方法１００を図解する。
【００３４】
ページング戦略は、様々な異なる情報、態様、構成要素および／または特性を含み得る。非限定的な実施例（ａ）としてのみ、ページング戦略は、ページングが開始されるサービスの緊急性または優先度に関するサービス毎の情報を含み得る。一実施例において、そのような情報は、ページングシグナリング（ＲＡＮページング手順）の開始から、ワイヤレスデバイスからの応答がない場合にＲＡＮノードがＲＡＮページング手順を断念することが必要になるまでの許容可能な最大遅延として表現することができる。そのような情報は、ＲＡＮノードが、いずれのサービスにユーザデータが関連付けられるかに応じて異なるページング論理／方式を適用することを有効にするために、ユーザデータ毎に個々に指示され得る。例えばレガシＥ−ＵＴＲＡなど、レガシ通信システムのＲＡＮにおいて、これは、ＥＰＳベアラ／Ｅ−ＲＡＢ（無線アクセスベアラ）毎であり得る。
【００３５】
別の非限定的な実施例（ｂ）によれば、ページング戦略は、ＲＡＮノードがページングを実施すると予測されるページング領域、または、履歴移動性データに基づいて、ＵＥが位置すると予測される場所の確率に基づいて、ＲＡＮノードがページングを実施すると予測される、異なるページングエリアの時間的順序を含むことができる。
【００３６】
（ａ）許容可能な最大遅延と（ｂ）ページングエリアとの２つの実施例を組み合わせることによって、ＲＡＮノードが、例えば、最後に訪れたセルにおけるページングによって開始し、応答がない場合にのみ、追加のセル内に範囲およびページを広げるなど、ＲＡＮノード自体のページング論理を適用することが有効になり得る。
【００３７】
可能性のある利点は、例えば、ａ）によって表現される遅延要件を依然として満たしながら、ページングリソースの使用を最小限に抑えることができることである。
【００３８】
ページング戦略情報は、ＲＡＮノードに、ページングリソースの使用および／または無線リソース使用を最小限に抑えながら、ワイヤレスデバイスに首尾よく到達するためにＲＡＮページング手順を実施する方法に関する情報を提供する。
【００３９】
ＲＡＮノードはその後、ページング戦略情報に従ってＲＡＮページング手順を実施することができる。ＲＡＮページング手順は、ワイヤレスデバイスからの応答、または、ワイヤレスデバイスからの応答の受信の失敗をもたらし得る。
【００４０】
ページング戦略は、成功、適正または不成功と判明し得る。実施されたページング手順の結果に応じて、ＲＡＮノードは、その結果に基づいてページング戦略情報を更新することができる。
【００４１】
ＲＡＮノードによって実施される方法は、いくつかの利点を有し得る。１つの可能な利点は、ページングリソースの使用および／または無線リソース使用を最小限にして、ワイヤレスデバイスをページングすることができることである。別の可能な利点は、ページングがＲＡＮノードによってトリガされるか、または、ＣＮノードによってトリガされるかとは無関係に、ワイヤレスデバイスが、同じページング間隔のみに対して常にリスンする必要があり得ることである。特許戦略を同調させることによって、ワイヤレスデバイスは、ＣＮノードがページングを実施しているか、または、ＲＡＮノードが実施しているかに応じて別様に設定される必要がなく、これによって、ワイヤレスデバイスに対するシグナリング負荷が低減する。
【００４２】
ページング戦略情報を更新すること１８０は、ＣＮノードから更新されたページング戦略情報を受信することを含んでもよい。
【００４３】
ページング戦略情報を更新すること１８０は、実施されたページング手順の結果を評価すること１５０を含むことができる。
【００４４】
下記により詳細に説明するように、ページング戦略情報は、ＲＡＮノードおよび／またはＣＮノードによって評価することができる。
【００４５】
上述したように、ＲＡＮノードは、ＣＮノードとページング戦略情報を交換することができる。上述のようにする様々な方法が存在する。例えば、ページング戦略情報は、エボルブド無線アクセスベアラ（Ｅ−ＲＡＢ）管理手順のメッセージ内の１つまたは複数の情報要素によって、および／または、ユーザ機器（ＵＥ）コンテクスト管理手順のメッセージ内の１つまたは複数の情報要素によって、および／または、ＲＡＮノードとＣＮノードとの間の制御シグナリングによって交換することができる。
【００４６】
実施されたＲＡＮページング手順の結果が、（ａ）ワイヤレスデバイスに到達するのに失敗した、または（ｂ）所定のタイムフレーム内にワイヤレスデバイスに到達するのに失敗した、または（ｃ）ＲＡＮノードによって決定される他の理由に起因する失敗、または（ｄ）ＲＡＮノードが他の理由からそうすることを決定する、であるとき、方法１００は、ＣＮノードに、ワイヤレスデバイスの第１のＣＮページング手順を実施することを求める要求１３０を送ることを含むことができる。これは図１ｂに図解されている。
【００４７】
第１のＣＮページング手順は、ＣＮノードが、ワイヤレスデバイスをページングする責任を引き継ぐことを伴うことができ、第１のページング手順は、ＣＮノードのページング戦略を含む。ＲＡＮノードがワイヤレスデバイスに対するそのページング手順に失敗する複数の異なる理由があり得る。例えば、ワイヤレスデバイスに時間内に到達しなかったような、ワイヤレスデバイスに到達する緊急性、すなわち、これは言い換えれば、送信されたデータがワイヤレスデバイスに到達するためのレイテンシ要件、または、ページングされるワイヤレスデバイスに対するベアラのＱｏＳ要件に起因する。レイテンシ要件またはＱｏＳ要件が厳密である場合、ＲＡＮノードは、無線でＣＮに第１のページングを直ちに要求することができる。
【００４８】
ワイヤレスデバイスの第１のＣＮページング手順を実施することを求める要求１３０をＣＮノードに送ることは、ＣＮノードに、実施されるＲＡＮページング手順に関する情報を提供することを含む。
【００４９】
ＲＡＮノードは、そのページング手順の部分をすでに実施している場合があるため、少なくとも、ＲＡＮページング手順が失敗した場合において、例えば、ページングシグナリングがいくつかのセルにおいて送信されている、および／または、ＲＡＮページング手順の継続時間のための時間が経過しているということがあり得る。したがって、ＲＡＮノードは、ＣＮノードに情報を提供することができ、結果、ＣＮノードは、これまで何が起こったかを知らされ、結果、ＣＮノードは、その第１のＣＮページング手順をそれに応じて適合させることができる。
【００５０】
実施されたＲＡＮページング手順の結果が、（ａ）ワイヤレスデバイスに到達するのに失敗した、または（ｂ）所定のタイムフレーム内にワイヤレスデバイスに到達するのに失敗した、または（ｃ）ＲＡＮノードによって決定される他の理由に起因する失敗、または（ｄ）ＲＡＮノードが他の理由からそうすることを決定する、であるとき、方法１００は、ＣＮノードに、第２のＣＮページング手順を実施することを求める要求１４０を送ることを含む。
【００５１】
この例示的な実施形態において、ＲＡＮノードは、ワイヤレスデバイスをページングする責任を依然として保持し得る。第２のＣＮページング手順は、例えば、ＲＡＮノードがＲＡＮページングによってページングしないエリアにおいて、ＣＮノードがワイヤレスデバイスをページングすることを伴い得る。第２のＣＮページング手順は、また、または、代替的に、例えば、ＲＡＮノードが到達することができないまたは到達することを所望しないエリアにおいて、ＣＮノードがワイヤレスデバイスをページングすることを伴い得る。
【００５２】
ＲＡＮノードはまた、ＣＮノードに第２のＣＮページング手順を実施することを求める要求１４０を送るときに、実施された可能性があるＲＡＮページング手順に関する情報を提供することもできる。そのような情報は、要求に組み込まれてもよく、または、追加のメッセージングもしくはシグナリングにおいて送信されてもよい。
【００５３】
方法１００は、実施されたＲＡＮページング手順の結果を評価すること１５０と、評価されている結果に基づいてページング戦略情報を更新すること１８０と、ＣＮノードとページング戦略情報を交換すること１１０とをさらに含むことができる。この実施例において、ＲＡＮノードが、ＣＮノードに第２のＣＮページング手順を実施することを求める要求１４０を送るとき、ＲＡＮノードはＣＮノードにページング責任を引き継ぐことを完全には要求せず、むしろ、ワイヤレスデバイスのページングにおける何らかの追加の援助を提供するため、第２のＣＮ手順は、ＲＡＮページング手順の一部と見ることができる。
【００５４】
上述したように、ＲＡＮノードまたはＣＮノードのいずれかが、ワイヤレスデバイスのページングの評価されている結果に基づいてページング戦略情報を更新することができる。評価は、例えば、（ｉ）ページング手順に使用されている時間、（ｉｉ）ページングの成功／失敗、（ｉｉｉ）ワイヤレスデバイスがページングメッセージに応答するセルのアイデンティティに関連するものであってもよい。評価は、ワイヤレスデバイスが休止状態に入るセルのＩＤ、フロー／ベアラなどのタイミング要件、ワイヤレスデバイスが休止状態に入ったときからワイヤレスデバイスがページングされるようになるまでの時間などのような以前の情報とともに行うことができる。一実施例において、実施されたページング手順の結果を評価するのはＲＡＮノードであり、この手順は、第２のＣＮページング手順の部分を含み得る。ページング戦略情報が更新されると、ＲＡＮノードは、ＣＮノードと更新されたページング戦略情報を交換し、結果、両方のノードが最新のページング戦略情報を有する。
【００５５】
例証となる実施例において、実施されたページング手順の結果の評価は、ページング遅延が所定の時間間隔内であるか否かを決定することを含むことができる。
【００５６】
他のパラメータに関連してページング手順を評価する他の方法がある。そのようなパラメータの非限定例は、ワイヤレスデバイスの動き（ページング応答が受信された場所、および、ワイヤレスデバイスが休止状態にセットされてからページングが実施されるまでの間の時間）、ワイヤレスデバイスのサービス品質（異なるサービスの時間要件は異なる）である。
【００５７】
評価は、パラメータを、それぞれの閾値、パラメータのそれぞれの間隔などと比較することによって実施することができる。パラメータは、ちょうど上述したパラメータのいずれかであってもよい。例証のみを目的とした、過度に単純化された実施例は、最初に、ワイヤレスデバイスが休止状態に入るときと、ワイヤレスデバイスがＲＡＮページングを使用してＲＡＮによってページングされるときとの間の時間を、複数の異なる時間間隔を有するテーブルと比較し、その後、デバイスの動き（静的または非静的）をチェックすることであり得る。ここで、ワイヤレスデバイスが、休止への切り替え／ページング機会と、デバイスが静止している（動きがないことを意味する）ときとの間に長い時間間隔を有する場合、ページング戦略は、ＲＡＮページングとＣＮページングの両方について、より狭い初期ページングエリアに変更され得る。この戦略は、ＲＡＮがページングに完全に注意を払っているときにＣＮがこのページング成果にアウェアでないときに、ＣＮに伝搬する必要がある。
【００５８】
本明細書における実施形態はまた、ワイヤレス通信ネットワークにおいてワイヤレスデバイスをページングするためのコアネットワーク（ＣＮ）ノードによって実施される方法２００にも関する。
【００５９】
そのような方法の実施形態を、ここで図２ａ〜図２ｃを参照しながら記載する。図２ａは、ページング戦略情報を無線アクセスネットワーク（ＲＡＮ）ノードと交換すること２１０と、ＲＡＮノードから、ワイヤレスデバイスをページングすることを求める要求を受信すること２２０と、受信された要求に従ってワイヤレスデバイスのページングを実施すること２３０とを含む方法を図解する。
【００６０】
上述したように、ＲＡＮノードおよびＣＮノードは、ページング戦略情報を交換することができ、結果、情報が変化している場合があるときに、両方が最近のバージョンによって最新のものとなる。ＣＮノードがページング戦略情報をＲＡＮノードに送信している場合、または、ＲＡＮノードがＣＮノードにページング戦略情報を送信している場合があり得る。
【００６１】
ＣＮノードは、ワイヤレスデバイスをページングすることを求める要求を、ＲＡＮノードから受信することができる。要求は、第１のＣＮページング手順または第２のＣＮページング手順を含むことができ、ＣＮノードは、ＲＡＮノードから受信する要求のタイプを通知される。このとき、ＣＮノードは、要求の受信を受けてどのように行動すべきかをも通知される。第１のＣＮページング手順および第２のＣＮページング手順の規定に関する上記の記載を参照されたい。
【００６２】
ＣＮノードはその後、受信された要求に従ってワイヤレスデバイスのページングを実施することができる。
【００６３】
ＣＮノードによって実施される方法は、ＲＡＮノードによって実施されるものと同じ利点を有する。１つの可能な利点は、ページングリソースの使用および／または無線リソース使用を最小限にして、ワイヤレスデバイスをページングすることができることである。別の可能な利点は、ページングがＲＡＮノードによってトリガされるか、または、ＣＮノードによってトリガされるかとは無関係に、ワイヤレスデバイスが、常に同じページング間隔のみに対してリスンする必要があり得ることである。逆に、ＲＡＮノードおよびＣＮノードがページング戦略について同調していなかったとすると、ワイヤレスデバイスは、ＣＮノードがページングを実施しているか、または、ＲＡＮノードがページングを実施しているかに応じて別様に設定される必要があることになり、これは、ワイヤレスデバイスに対してより高いシグナリング負荷がかかること、および、ページング期間に関連するワイヤレスデバイス設定が一時的に陳腐化するという問題が生じる可能性があることを暗示する。
【００６４】
ワイヤレスデバイスをページングすることを求める、ＲＡＮノードから受信された要求は、ＣＮノードに、ＲＡＮノードからページング手順を引き継ぐように要求することができ、ページング手順を実施すること２３０は、ページング戦略情報、および、任意選択的に、ＲＡＮノードから受信された要求内に含まれる情報をページング手順に適用することを含む。
【００６５】
この実施例において、要求は、上述した第１のＣＮページング手順を含む。
【００６６】
実施された第１のＣＮページング手順の結果が、ワイヤレスデバイスへの到達の成功であるとき、方法２００は、実施されたページング手順の結果を評価すること２４０と、評価されている結果に基づいてページング戦略情報を更新すること２５０と、ＲＡＮノードとページング戦略情報を交換すること２１０とをさらに含むことができる。
【００６７】
同じく上述したように、ＣＮノードは、実施されたページング手順の結果を評価することができる。評価は、上述したのと同じように、例えば、パラメータを、パラメータと関連付けられるそれぞれの閾値、間隔などと比較することによって、実施することができる。
【００６８】
ワイヤレスデバイスをページングすることを求める、ＲＡＮノードから受信された要求は、ＣＮノードに、ページング試行を実施することを要求し、要求は、ＣＮノードが要求されているページング試行を実施することを有効にする情報を含むことができ、ワイヤレスデバイスのページングを実施すること２３０は、受信された要求に従って、かつ、ＲＡＮノードから受信された要求内に含まれる情報に照らして実施される。
【００６９】
これは、ＲＡＮノードから受信された要求が、上述したような第２のＣＮページング手順を含むことに対応する。
【００７０】
実施された第２のＣＮページング手順の結果が、ワイヤレスデバイスへの到達の成功であるとき、方法２００は、実施されたページング手順の結果を評価すること２４０と、評価されている結果に基づいてページング戦略情報を更新すること２５０と、ＲＡＮノードとページング戦略情報を交換すること２１０とをさらに含むことができる。
【００７１】
方法２００は、ＲＡＮノードにおけるＵＥコンテクストを確立すること２６０をさらに含むことができる。
【００７２】
ＵＥコンテクストが確立されているＲＡＮノードは、ＲＡＮページング手順を開始した上記と同じＲＡＮノードまたは別のＲＡＮノードであってもよい。
【００７３】
ページングがＤＬデータ到来によってトリガされる時点と、ＵＥによってページング要求が応答され、例えば、ＵＥなどのワイヤレスデバイスによってＤＬデータが受信される時点との間の時間間隔に対するレイテンシ要件が存在し得る。以後、ワイヤレスデバイスはＵＥとして参照される。この要件を満たすために、ＲＡＮおよびＣＮは、以下の入力パラメータを入力として使用することができる。
ＵＥの登録されている移動性に関する履歴情報。
ＵＥのデータ活動およびアイドル期間。
ＵＥのサービス要件（例えば、サービス品質（ＱｏＳ）、特定のＱＣＩ値と関連付けられるパケット遅延バジェットのような詳細）。
現在のページングの経過時間。
ＵＥのページングエリア情報（例えば、ＴＡＩリスト）。
これまでにページングされたエリア。
【００７４】
以前の章において言及されているページング戦略、すなわち、ページングメカニズムの順序、継続時間および伝搬は、上記の入力に基づいて適応的に調整される必要がある。
【００７５】
ＲＡＮページングが導入されると、ページングの責任は部分的に、コアネットワークからＲＡＮに移行され得る。ＲＡＮによってページング戦略を実行することを可能にするために、ページング機会に先行しておよびその間にｅＮＢとＭＭＥとの間で情報を交換する必要がある。今日すでに利用可能である情報は、以下の理由で、この実行に十分ではない。
（１）休止状態にあるＵＥについてＤＬデータがｅＮＢに到来すると、ｅＮＢは以下の情報を有する。
ａ．ＵＥの予測活動期間、アイドル期間およびハンドオーバ間隔における「初期コンテクストセットアップ要求」または「ハンドオーバ要求」からの「予測ＵＥ挙動」。この情報は、ＭＭＥからの明示的なシグナリングを介して取り出すことができるが、たとえそのようなシグナリングがなくとも、ｅＮＢは、これらの情報を記憶するＵＥコンテクストを維持することによって、ＵＥ挙動、すなわち、アイドル−アクティブ遷移時間および他の統計を追跡することが可能である。
ｂ．ｅＮＢによって補足される、ＵＥが休止状態になっていた時間。
ｅＮＢは依然として、ページングエリア情報またはＵＥによって使用されるサービスに対するサービス要件に関する情報を有しない。従来技術において、ＭＭＥがページング戦略を判断しているとき、ＭＭＥは、（１）ａおよびｂを、ページングエリア情報およびサービスのＱｏＳ要件とともに入力として使用することになる。またここで、ＲＡＮページングがｅＮＢにおいて実施されるとき、ｅＮＢは、同じ判断を行うためにＭＭＥと同じ情報を有する必要がある。
ページングエリア情報は、ｅＮＢ（およびｅＮＢに隣接するもの）が複数のトラッキングエリアにサーブする場合に使用することができる。ｅＮＢがコアネットワークからＵＥのページングエリア情報を受信した場合、ページングメッセージをページングエリアの一部であるセルのみに送信することによって、すなわち、ページングエリアの一部でないトラッキングエリア内のセルにおけるページングを回避することによって、ＲＡＮページングを最適化することができる。ページングエリアに関する情報にアクセスすることによってまた、ｅＮＢ（ＲＡＮノードの一例）が、いつページングを停止すべきかを決定することも有効になり得る。
例えば、アプリケーションサービス要件に関する情報は、ＵＥが、データがＣＮにおいて利用可能になってからそのようなデータがＵＥに送られ得るまでに低い遅延を達成するために、頻繁にかつ即時の広いページング範囲でページングされる必要があり得ることを暗示し得る。これが必要とされるサービス例は、ＩＭＳ、および、移動体着信（ＭＴ）呼によって引き起こされるページングである。サービスまたはベアラ特有の情報にアクセスすることができることによって、ＲＡＮページング戦略を最適化することが可能である。
（２）ｅＮＢが「ページング支援要求（ｐａｇｉｎｇ  ａｓｓｉｓｔａｎｃｅ  ｒｅｑｕｅｓｔ）」をＭＭＥに送信すると、ＭＭＥは、ページング戦略を実行するために上記で言及したパラメータ入力を有する必要がある。
（２）は、ｅＮＢがＵＥをページングするのに失敗し、ＭＭＥ（ＵＥ）の支援が必要になった後の、ＲＡＮページング中に有効である。ＣＮは、ＲＡＮページング手順中に何が起こったかに関する情報を有しないため、ＣＮは、最適化されたページング手順を実施するために、この履歴（および、場合によっては（１）における情報も）に対する何らかの更新を必要とすることになる。
【００７６】
ＲＡＮページングが導入されるときにページング戦略を満たす可能性を提供する種々の実施形態。
【００７７】
第１の例示的な実施形態において、ＭＭＥは、ｅＮＢに、ＵＥのＣＮ到達可能性要件、すなわち、ＵＥに到達するのにかかる時間と、それに対する、ページングの繰り返し毎にページングされるべきエリアの大きさとに関して通知し、また、ｅＮＢに、サービス要件およびページングエリアに関する追加の情報も提供する。これは、様々な異なる方法で行うことができる。
【００７８】
第１の例示的な実施形態の第１の実施例は、サービス要件情報に適用可能である。第１の実施例は、特性要件を満たすためにいずれのＲＡＮページング戦略を使用すべきかを判断するために、無線アクセスベアラ（ＲＡＢ）／フローセットアップ中にｅＮＢのＵＥベアラのデータレイテンシに関する追加の情報要素を導入することを伴う。言い換えれば、ＲＡＢセットアップ手順の間、各ベアラに対する送信レイテンシ要件に関する情報要素（ＩＥ）が追加され、それによって、ページングが入来するダウンリンク（ＤＬ）データによってトリガされ得、ページング時間にＵＥがページングされた後のデータ送信時間を加えた時間に等しい時間内に送達される必要があるときに、送信レイテンシ要件を満たすためにＵＥがどのようにページングされるべきかという戦略を、ｅＮＢが知る。
【００７９】
第１の例示的な実施形態の第２の実施例は、アプリケーションサービス要件情報とページングエリア情報の両方に適用可能である。ＭＭＥは、ｅＮＢに、「予測ＵＥ挙動」ＩＥとともに、所望されるページング戦略に関して通知するために、初期コンテクストセットアップ中に各ＵＥのサービス要件情報およびページングエリア情報を提供する。さらに、ＲＡＮノードおよびＭＭＥは、動的にまたはページング手順の同期されたセッティングを初期化するために変化する場合に、ページング戦略を交換することができる。言い換えれば、初期コンテクストセットアップ手順の間、ＵＥに対する送信レイテンシ要件に関するＩＥおよびページングエリアのエンティティ（ＴＡＩリスト）が追加され、それによって、ページングが入来するＤＬデータによってトリガされ得、ページング時間にＵＥがページングされた後のデータ送信時間を加えた時間に等しい時間内に送達される必要があるときに、送信レイテンシ要件を満たすためにＵＥがどのようにページングされるべきか、および、どこでページングされるべきかという戦略を、ｅＮＢが知る。ここで、ｅＮＢが、追加の情報（例えば、ＲＡＮページングに関連してＲＡＮによって検出される同じＲＡＮページングエリア内でのＵＥの動きの新たなタイプまたはパターン）に起因してそのＵＥの戦略を変更する場合、新たなページング戦略が、ｅＮＢとＭＭＥとの間で同期される必要がある。これは、ＭＭＥがページング戦略を変更することを所望する場合にも適用される。
【００８０】
第１の例示的な実施形態の第３の実施例は、ＭＭＥとＲＡＮノードとの間の制御シグナリング、すなわち、ページング戦略情報を交換するための既存のシグナリング手順を使用する代わりの、明示的なシグナリングを含む。
【００８１】
第２の例示的な実施形態において、ｅＮＢが、ＣＮにページングを実施させるために「ページング支援要求」を使用するとき、ｅＮＢは、ＭＭＥに、ページングステータスに関して通知する。ＭＭＥによって「ページング支援要求」を使用するとき、ｅＮＢは、ＭＭＥに、ＲＡＮページングのこれまでの進捗に関して通知する。支持とともに、ｅＮＢからの情報は、ＣＮが、所望される／要求されるページング戦略を使用してページングを継続することを有効にする。これは、様々な異なる方法で行うことができる。
【００８２】
第２の例示的な実施形態の第１の実施例は、ＲＡＮがページング戦略を実行し続けることである。この場合、ＲＡＮは、「ページング支援要求」を使用して、ＣＮに、ＲＡＮによって命令されるときに単一のページングシグナリング試行を実施するよう要求する。
【００８３】
第２の例示的な実施形態の第２の実施例は、ＲＡＮがページング戦略実行をＣＮに移行することである。この場合、ＲＡＮは、「ページング支援要求」を使用して、ＣＮに、ＲＡＮがＵＥに到達することなくページングを終結したことを通知する。「ページング支援要求」の一部として、ＲＡＮは、ＣＮに、これまでＲＡＮによって実施されたページングからの詳細な情報を提供する。
【００８４】
上記の第１の例示的な実施形態において、ＲＡＮおよびＣＮは、ＲＡＮ／ＣＮインターフェースを介して、例えば、ページング機会、ページング期間、ＣＮに転送する前のＲＡＮページングの最大遅延などのページング戦略に関する情報を交換する。例示されるように、ページング戦略情報とも呼ばれるページング戦略は、追加のおよび／または他の情報／パラメータ／特性を含むことができる。ページング戦略の交換は、ＣＮ（例えば、ＣＮ内のノード）が、ＲＡＮ（例えば、ＲＡＮ内のノード）に、または、ＲＡＮがＣＮに、ページング戦略に関して通知することを含むことができる。
【００８５】
第１の例示的な実施形態の一例において、この情報は、Ｅ−ＲＡＢ管理手順を介して交換することができる。そのような情報交換のための可能な候補Ｓ１ＡＰメッセージは、すでにＬＴＥにおいて規定されているＥ−ＲＡＢ  ＳＥＴＵＰ  ＲＥＱＵＥＳＴ（Ｅ−ＲＡＢセットアップ要求）、Ｅ−ＲＡＢ  ＳＥＴＵＰ  ＲＥＳＰＯＮＳＥ（Ｅ−ＲＡＢセットアップ応答）、Ｅ−ＲＡＢ  ＭＯＤＩＦＹ  ＲＥＱＵＥＳＴ（Ｅ−ＲＡＢ修正要求）、Ｅ−ＲＡＢ  ＭＯＤＩＦＹ  ＲＥＳＰＯＮＳＥ（Ｅ−ＲＡＢ修正応答）、Ｅ−ＲＡＢ  ＲＥＬＥＡＳＥ  ＣＯＭＭＡＮＤ（Ｅ−ＲＡＢ解放コマンド）、Ｅ−ＲＡＢ  ＲＥＬＥＡＳＥ  ＲＥＳＰＯＮＳＥ（Ｅ−ＲＡＢ解放応答）、Ｅ−ＲＡＢ  ＲＥＬＥＡＳＥ  ＩＮＤＩＣＡＴＩＯＮ（Ｅ−ＲＡＢ解放指示）、Ｅ−ＲＡＢ  ＭＯＤＩＦＩＣＡＴＩＯＮ  ＩＮＤＩＣＡＴＩＯＮ（Ｅ−ＲＡＢ修正指示）、およびＥ−ＲＡＢ  ＭＯＤＩＦＩＣＡＴＩＯＮ  ＣＯＮＦＩＲＭ（Ｅ−ＲＡＢ修正確認）であってもよい。
【００８６】
第１の例示的な実施形態の第２の実施例の別の例において、この情報は、ＵＥコンテクスト管理手順を介して交換することができる。そのような情報交換のための可能な候補Ｓ１ＡＰメッセージは、すでにＬＴＥにおいて規定されているＩＮＩＴＩＡＬ  ＣＯＮＴＥＸＴ  ＳＥＴＵＰ  ＲＥＱＵＥＳＴ（初期コンテクストセットアップ要求）、ＩＮＩＴＩＡＬ  ＣＯＮＴＥＸＴ  ＳＥＴＵＰ  ＲＥＳＰＯＮＳＥ（初期コンテクストセットアップ応答）、ＵＥ  ＣＯＮＴＥＸＴ  ＭＯＤＩＦＩＣＡＴＩＯＮ  ＩＮＤＩＣＡＴＩＯＮ（ＵＥコンテクスト修正指示）、ＵＥ  ＣＯＮＴＥＸＴ  ＭＯＤＩＦＩＣＡＴＩＯＮ  ＣＯＮＦＩＲＭ（ＵＥコンテクスト修正確認）、ＵＥ  ＣＯＮＴＥＸＴ  ＭＯＤＩＦＩＣＡＴＩＯＮ  ＲＥＱＵＥＳＴ（ＵＥコンテクスト修正要求）、ＵＥ  ＣＯＮＴＥＸＴ  ＭＯＤＩＦＩＣＡＴＩＯＮ  ＲＥＳＰＯＮＳＥ（ＵＥコンテクスト修正応答）、ＨＡＮＤＯＶＥＲ  ＲＥＱＵＩＲＥＤ（要求されているハンドオーバ）、ＵＥ  ＣＯＮＴＥＸＴ  ＳＵＳＰＥＮＤ  ＲＥＱＵＥＳＴ（ＵＥコンテクスト保留要求）、ＵＥ  ＣＯＮＴＥＸＴ  ＳＵＳＰＥＮＤ  ＲＥＳＰＯＮＳＥ（ＵＥコンテクスト保留応答）、ＵＥ  ＣＯＮＴＥＸＴ  ＲＥＳＵＭＥ  ＲＥＱＵＥＳＴ（ＵＥコンテクスト再開要求）、ＵＥ  ＣＯＮＴＥＸＴ  ＲＥＳＵＭＥ  ＲＥＳＰＯＮＳＥ（ＵＥコンテクスト再開応答）、およびＨＡＮＤＯＶＥＲ  ＲＥＱＵＥＳＴ（ハンドオーバ要求）であってもよい。
【００８７】
第１の例示的な実施形態のまた別の例において、この情報は、ＣＮとＲＡＮとの間の他のシグナリングによって交換される。シグナリングは、情報を交換する目的専用のものであってもよく、または、他の目的のシグナリングに組み込まれ（ピギーバックされ）てもよい。
【００８８】
上記の例の実施形態は、５Ｇシステム、次世代システムなどのような他のシステムにおいて有効にされ得る等価な手順について有効である。
【００８９】
ＣＮは、Ｓ１ＡＰメッセージの一部として、ページング頻度、共通の時間基準に対するページングオフセット、ページング反復情報（すなわち、ＣＮが、ＵＥがページングされるべき頻度を示唆する）、および、ＵＥとの接続が確立されるまでにＲＡＮがページングに費やす、要求される最大時間を指定するページング戦略情報を交換するための新たな情報要素（ＩＥ）を含むことができる。そのような情報の部分は、ＣＮによってトリガされるＰＡＧＩＮＧ（ページング）メッセージを用いるのと同じ方法でＲＡＮノード、例えば、ｅＮＢに到達し、他の部分は、ＲＡＮノードが、ＣＮによって記述されるページング戦略のようにＣＮを独立してページングすることを可能にする情報を含み、ＲＡＮノードがＵＥからのいかなるページング応答も受信することなくページングを終結させると、ＲＡＮノードは、「ページング支援要求」を使用して、ＣＮに、ＵＥのページングを実施する要求することができる。
【００９０】
ＣＮはまた、Ｓ１ＡＰメッセージの一部として、ページングエリア情報（例えば、ＴＡＩリスト）を指定する新たな情報要素をも含んでもよい。この情報について、ＲＡＮは、Ｓ１ＡＰメッセージを受信するｅＮＢノード、または、Ｘ２関連ＲＡＮページングが適用されるときはこのｅＮＢに隣接するものの両方の中でのＲＡＮページングについて、ページングエリア内にないトラッキングエリア内のセルに対するＲＡＮページングメッセージの送信を回避することができる。
【００９１】
同等に、ＲＡＮが、例えば、新たなページング期間またはページングオフセットを使用することによってそのページング戦略を更新する場合、ＲＡＮは、ＣＮに、シグナリングメッセージ内に新たなページング戦略情報を含めることによって、そのような変化について通知することができる。そのようなシグナリングメッセージは、Ｓ１：初期コンテクストセットアップ応答であってもよく、または、他の無線システム内の任意の他の等価なメッセージであってもよい。代替的に、このシグナリングは、新たに規定される手順を介して行われてもよい。
【００９２】
上記の第２の例示的な実施形態において、ＲＡＮおよびＣＮは、ＲＡＮ／ＣＮインターフェースを介して、例えば、ページング機会、ページング期間、ＣＮに転送する前のＲＡＮページングの最大遅延などのページング戦略に関する情報を交換する。
【００９３】
一例において、この情報は、Ｅ−ＲＡＢ管理手順を介して交換することができる。そのような情報交換のための可能な候補Ｓ１ＡＰメッセージは、上記で例示されている。
【００９４】
別の例において、この情報は、ＵＥコンテクスト管理手順を介して交換することができる。そのような情報交換のための可能な候補Ｓ１ＡＰメッセージは、上記で例示されている。
【００９５】
両方の例の実施形態は、５Ｇシステム、次世代システムなどのような他のシステムにおいて有効にされ得る等価な手順について有効である。
【００９６】
ＣＮは、Ｓ１ＡＰメッセージの一部として、ページング頻度、共通の時間基準に対するページングオフセット、ページング反復情報（すなわち、ＣＮが、ＵＥがページングされるべき頻度を示唆する）、および、ＵＥとの接続が確立されるまでにＲＡＮがページングに費やす、要求される最大時間を指定する新たな情報要素を含むことができる。そのような情報の部分は、ＣＮによってトリガされるＰＡＧＩＮＧ（ページング）メッセージを用いるのと同じ方法でＲＡＮノード、例えば、ｅＮＢに到達し、他の部分は、ＲＡＮノードが、ＣＮによって記述されるページング戦略のようにＣＮを独立してページングすることを可能にする情報を含み、ＲＡＮノードがＵＥからのいかなるページング応答も受信することなくページングを終結させると、ＲＡＮノードは、「ページング支援要求」を使用して、ＣＮに、ＵＥのページングを実施する要求することができる。
【００９７】
ＣＮはまた、（上記の第２の実施例についてのみ有効であるが）Ｓ１ＡＰメッセージの一部として、ページングエリア情報（例えば、ＴＡＩリスト）を指定する新たな情報要素をも含んでもよい。この情報について、ＲＡＮは、Ｓ１ＡＰメッセージを受信するｅＮＢノード、または、Ｘ２関連ＲＡＮページングが適用されるときはこのｅＮＢに隣接するものの両方の中でのＲＡＮページングについて、ページングエリア内にないトラッキングエリア内のセルに対するＲＡＮページングメッセージの送信を回避することができる。
【００９８】
同等に、ＲＡＮが、例えば、新たなページング期間またはページングオフセットを使用することによってそのページング戦略を更新する場合、ＲＡＮは、ＣＮに、シグナリングメッセージ内に新たなページング戦略情報を含めることによって、そのような変化について通知することができる。そのようなシグナリングメッセージは、Ｓ１：初期コンテクストセットアップ応答であってもよく、または、他の無線システム内の任意の他の等価なメッセージであってもよい。代替的に、このシグナリングは、新たに規定される手順を介して行われてもよい。
【００９９】
言及されている例示的な第２の実施形態において、ＲＡＮページングに対するＵＥからのページング応答がない場合、ｅＮＢは、ＣＮにページングに対する支援を求める。この場合、ＲＡＮは、ＲＡＮページング継続時間に関する情報、ＲＡＮページングに関するエリア情報などを含む、ＲＡＮページングによってこれまで到達した進捗に関する情報を提供すべきである。この増強は、ＣＮが、ページングが実施される方法を最適化することを可能にするため、有益である。この増強は、ＣＮとＲＡＮの両方の側において追加のシグナリングおよび処理に関連してより高い複雑度をもたらすが、ＣＮが、例えば、ＵＥがリスンしているよりも頻度の低い機会においてページングするなど、ページング戦略を選択するのではなく、ＵＥが最適に設定されるページング機会および戦略においてページングすることができることを保証する。後者は、ＵＥがページングに対して定期的にリスンしており、そのようなプロセスを作動させるためのバッテリ電力を運用していることを所与として準最適プロセスである。シーケンスは以下のとおりであり得る。
このシナリオの前提条件は、ある特定のＵＥのページングが、ＲＡＮによってハンドリングされ得ること、すなわち、ＵＥがＣＮによってＥＣＭ−ＣＯＮＮＥＣＴＥＤ（ＥＣＭ接続）としてハンドリングされると同時に、ＵＥがＲＡＮによってＲＲＣ  ＣＯＮＮＥＣＴＥＤ  ＩＮＡＣＴＩＶＥ（ＲＲＣ接続非アクティブ）としてハンドリングされるのに適しているとＣＮが判断したことであり得る。
１．ＤＬユーザデータがコアに到達する。
２．ＣＮがＤＬユーザデータをＲＡＮに通す。
３．ＵＥはＲＲＣ  ＣＯＮＮＥＣＴＥＤでないため、ＲＡＮは、最初にページングによってＵＥに到達する必要がある。
４．ＲＡＮはそのページング戦略を実行するが、ＵＥに到達するのに失敗する。
【０１００】
下記において、２つの異なる実施例に従う。第１の実施例は、ＲＡＮ（例えば、ＲＡＮ内のノード）が、ＣＮに、ページングを引き継ぐよう要求する場合であり、第２の実施例は、ＲＡＮがページングの責任を維持するが、同時に、ＣＮに、ある特定のエリアにおいてページングを実施するよう要求する場合である。
【０１０１】
第１の実施例：
５．１  ＲＡＮがページングを停止する。
６．１  ＲＡＮが、ＣＮに、ページングメカニズムを完全に引き継ぐよう要求する。「ページング支援要求」のシグナリングの一部として、ＲＡＮは、ＲＡＮがページングに費やした時間、例えば、ページング機会、ページングする理由（すなわち、ページングを開始するようにＲＡＮをトリガしたＤＬユーザデータのＱｏＳ）、および、ＲＡＮがＵＥに到達するためにページングを実施したエリアを含むページング戦略に関するすべてのまたは一部の情報を含むことができる。
７．１  ＣＮは、そのページング戦略を適用し、いずれのＲＡＮノードがページングすべきか、ページング間隔、いずれのページング反復を適用すべきか、すでにページングされているエリアなどを判断する。この場合、ＣＮはまた、要求しているＲＡＮノードがすでにページングした領域においてもページングし得る。
８．１  ＣＮが、ページングによってＵＥに到達するのに成功する。
９．１  ＣＮが、ページング遅延結果を評価する。ＣＮが、ＵＥが状態ＲＲＣ  ＣＯＮＮＥＣＴＥＤ  ＩＮＡＣＴＩＶＥにおいてハンドリングされ得るか（ＲＡＮがページングを行うことを意味する）、または、コアが将来におけるすべてのページングを行い、このＩｖＤにおける第１の実施形態に従って、ページング戦略の変更を実施すべきかを判断する。
１０．１  ＣＮが、ＲＡＮにおいてＵＥコンテクストを確立することによって、ＥＣＭ−ＣＯＮＮＥＣＴＥＤへの状態変化を終結させる。ＲＡＮに送られるＵＥ関連情報の一部として、ＭＭＥは、ＲＡＮに、ＵＥがＲＲＣ状態ＲＲＣ  ＣＯＮＮＥＣＴＥＤ  ＩＮＡＣＴＩＶＥによってハンドリングされるのに適格であるか否かに関して通知する。
【０１０２】
第２の実施例：
５．２  ＲＡＮは、ページング戦略の責任を維持するが、同時に、ＣＮに、ＲＡＮページングによってＲＡＮが到達することができないか、または、到達することを所望しないエリアにおいて、ページングを実施するよう要求することを判断する。
６．２  ＲＡＮが、「ページング支援要求」（下記において第２のＣＮページング手順として参照される）のシグナリングを実施し、単一のページング試行に関する情報をＣＮに提供し、ＣＮがそうすることを有効にする情報、すなわち、ページング間隔、時間長、および、ＲＡＮが次の試行において依然としてページングすることになるエリアなどの情報を提供する。ＲＡＮはまた、ＲＡＮがページングに費やした試行回数に関する情報をも提供することができる。ＲＡＮはまた、ＣＮに、例えば、ＲＡＮページングがまだ到達していないエリアなど、特定のエリアにおいてページングするよう要求することもでき、または、ＲＡＮは、ＣＮに、中でページングすべきページングエリアを判断するよう要求することができる。
ＲＡＮノードは、ＣＮが、ＲＡＮによってすでにページングされているエリアにおけるページングを回避することを有効にするために、ＲＡＮがすでにページングを実施したエリアのリストを提供することができる。ＣＮがページングエリアを判断する場合、ＣＮは、すでにページングされているエリアに関する情報を使用する。
７．２  ＣＮは、まさにこのページング試行のページング範囲にある、要求しているＲＡＮノードからの情報（最も顕著には、ページング反復情報を含む）を使用しながら、判断されたページングエリアに対して単一のページング試行を実施する。
８．２  ＣＮによって実施される単一のページングがＵＥに到達するのに成功し、ＵＥが応答し、接続が確立される。
９．２  ＣＮまたはＲＡＮが、ページング遅延結果を評価する。ＣＮまたはＲＡＮが、ＵＥが状態ＲＲＣ  ＣＯＮＮＥＣＴＥＤ  ＩＮＡＣＴＩＶＥにおいてハンドリングされ得るか（ＲＡＮがページングを行うことを意味する）、または、コアが将来におけるすべてのページングを行い、本開示における第１の実施形態に従って、ページング戦略の変更を実施すべきかを判断する。
１０．２  ＣＮが、ＲＡＮにおいてＵＥコンテクストを確立することによって、ＥＣＭ−ＣＯＮＮＥＣＴＥＤへの状態変化を終結させる。ＲＡＮに送られるＵＥ関連情報の一部として、ＭＭＥは、ＲＡＮに、ＵＥがＲＲＣ状態ＲＲＣ  ＣＯＮＮＥＣＴＥＤ  ＩＮＡＣＴＩＶＥによってハンドリングされるのに適格であるか否かに関して通知する。
【０１０３】
両方の事例において、ＣＮによって実行されるページングは、ＲＡＮによって提供される情報にアクセスすることになる。この方法の利点の１つは、ページングがＲＡＮによってトリガされるか、または、ＣＮによってトリガされるかとは無関係に、ＵＥが、常に同じページング間隔のみに対してリスンする必要があることである。逆に、ＲＡＮおよびＣＮがページング戦略について同調していなかったとすると、ＵＥは、ＣＮノードがページングを実施しているか、または、ＲＡＮノードがページングを実施しているかに応じて別様に設定される必要があることになり、これは、ＵＥに対してより高いシグナリング負荷がかかること、および、ページング期間に関連するＵＥ設定が一時的に陳腐化するという問題が生じる可能性があることを暗示する。
【０１０４】
本明細書における実施形態はまた、ワイヤレス通信ネットワークにおいてワイヤレスデバイスをページングするためのＲＡＮノードにも関する。そのようなＲＡＮノードの異なる実施形態および例を、ここで図４および図５を参照しながら記載する。
【０１０５】
図４および図５は、ページング戦略情報をコアネットワーク（ＣＮ）ノードと交換することと、交換されたページング戦略情報に従ってワイヤレスデバイスのＲＡＮページング手順を実施することと、実施されたページング手順の結果に基づいて、ページング戦略情報を更新することとを行うように設定されているＲＡＮノードを図解する。
【０１０６】
ＲＡＮノードは、種々の方法で実装または実現することができる。第１の例示的な実施態様または実現形態が、図４に図解されている。図４は、プロセッサ４２１と、メモリ４２２とを備えるＲＡＮノード４００を図解しており、メモリは、例えば、コンピュータプログラム４２３を用いることによって、プロセッサ４２１によって実行されると、ＲＡＮノード４００に、ページング戦略情報をＣＮノードと交換することと、交換されたページング戦略情報に従ってワイヤレスデバイスのＲＡＮページング手順を実施することと、実施されたページング手順の結果に基づいて、ページング戦略情報を更新することとを行わせる命令を含む。
【０１０７】
図４はまた、メモリ４１０を備えるＲＡＮノード４００をも図解する。図４は例示的な図解に過ぎず、メモリ４１０は、任意選択であってもよく、メモリ４２２の一部であってもよく、または、ＲＡＮノード４００のさらなるメモリであってもよいことが指摘されるべきである。メモリは、例えば、例証となる実施例をいくつか挙げてみると、ＲＡＮノード４００、ＲＡＮノード４００の動作の統計に関係する情報を含み得る。図４は、メモリ４２２およびプロセッサ４２１を備える処理手段４２０を備えるＲＡＮノード４００をさらに図解する。
【０１０８】
またさらに、図４は、通信ユニット４３０を備えるＲＡＮノード４００を図解する。通信ユニット４３０は、それを通じてＲＡＮノード４００が通信ネットワークの他のノードまたはエンティティおよび他の通信ユニットと通信するインターフェースを含むことができる。図４はまた、さらなる機能４４０を備えるＲＡＮノード４００をも図解する。さらなる機能４４０は、ＲＡＮノード４００が本明細書においては開示されていない種々のタスクを実施するのに必要なハードウェアまたはソフトウェアを含んでもよい。
【０１０９】
ＲＡＮノード５００の代替的な例示的実施態様が、図５に図解されている。図５は、コアネットワーク（ＣＮ）ノードとページング戦略情報を交換するための交換ユニット５０３を備えるＲＡＮノード５００を図解する。ＲＡＮノード５００は、交換されたページング戦略情報に従ってワイヤレスデバイスのＲＡＮページング手順を実施するための実施ユニット５０４と、実施されたページング手順の結果に基づいて、ページング戦略情報を更新するための更新ユニット５０５とをさらに備える。
【０１１０】
図５において、ＲＡＮノード５００はまた、通信ユニット５０１を備えて図解されてもいる。このユニットを通じて、ＲＡＮノード５００は、ワイヤレス通信ネットワーク内の他のノードおよび／またはエンティティと通信するように適合される。通信ユニット５０１は、２つ以上の受信構成を備えることができる。例えば、通信ユニット５０１は、ワイヤとアンテナの両方に接続することができ、ワイヤおよびアンテナを用いることによって、ＲＡＮノード５００は、ワイヤレス通信ネットワーク内の他のノードおよび／またはエンティティと通信することを有効にされる。同様に、通信ユニット５０１は、２つ以上の送信構成を備えることができ、送信構成は、ワイヤとアンテナの両方に接続され、ワイヤおよびアンテナを用いることによって、ＲＡＮノード５００は、ワイヤレス通信ネットワーク内の他のノードおよび／またはエンティティと通信することを有効にされる。ＲＡＮノード５００は、データを記憶するためのメモリ５０２を備えてさらに図解されている。さらに、ＲＡＮノード５００は、制御または処理ユニット（図示せず）を備えることができ、当該ユニットは、種々のユニット５０３〜５０５に接続される。これは例証となる実施例に過ぎず、ＲＡＮノード５００は、図５に示すものと同じようにＲＡＮノード５００の機能を実行するより多くの、より少ないまたは他のユニットまたはモジュールを備えてもよいことが指摘されるべきである。
【０１１１】
図５はＲＡＮノード５００内の様々な機能ユニットを論理的な意味で図解しているに過ぎないことが留意されるべきである。実際の機能は、任意の適切なソフトウェアおよびハードウェア手段／回路などを使用して実装されてもよい。したがって、実施形態は一般に、ＲＡＮノード５００および機能ユニットの図示されている構造に限定されない。それゆえ、前述の例示的な実施形態は、多くの方法で実現することができる。例えば、１つの実施形態は、ＲＡＮノード５００において方法ステップを実行するために制御または処理ユニットによって実行可能である、命令を記憶されているコンピュータ可読媒体を含む。コンピューティングシステムによって実行可能であり、コンピュータ可読媒体に記憶されている命令は、特許請求の範囲において記載されているようなＲＡＮノード５００の方法ステップを実施する。
【０１１２】
一例において、ＲＡＮノードは、ＣＮノードから更新されたページング戦略情報を受信することによって、ページング戦略情報を更新するように設定される。
【０１１３】
別の例において、ＲＡＮノードは、実施されたＲＡＮページング手順の結果を評価することによって、ページング戦略情報を更新するように設定される。
【０１１４】
他の例において、ページング戦略情報の交換は、エボルブド無線アクセスベアラ（Ｅ−ＲＡＢ）管理手順のメッセージ内の１つまたは複数の情報要素によって、および／または、ユーザ機器（ＵＥ）コンテクスト管理手順のメッセージ内の１つまたは複数の情報要素によって、および／または、ＲＡＮノードとＣＮノードとの間の制御シグナリングによって実施される。
【０１１５】
また他の例において、ＲＡＮノードは、実施されたＲＡＮページング手順の結果が、ａ）ワイヤレスデバイスに到達するのに失敗した、またはｂ）所定のタイムフレーム内にワイヤレスデバイスに到達するのに失敗した、またはｃ）ＲＡＮノードによって決定される他の理由に起因する失敗であるとき、ＣＮノードに、ワイヤレスデバイスの第１のＣＮページング手順を実施することを求める要求を送るように設定される。
【０１１６】
さらなる例において、ワイヤレスデバイスの第１のＣＮページング手順を実施することを求める要求をＣＮノードに送るように設定されているＲＡＮノードは、ＣＮノードに、実施されるＲＡＮページング手順に関する情報を提供するように設定されているＲＡＮノードを含む。
【０１１７】
別の例において、ＲＡＮノードは、実施されたＲＡＮページング手順の結果が、ａ）ワイヤレスデバイスに到達するのに失敗した、またはｂ）所定のタイムフレーム内にワイヤレスデバイスに到達するのに失敗した、またはｃ）ＲＡＮノードによって決定される他の理由に起因する失敗であるとき、ＣＮノードに、ワイヤレスデバイスの第２のＣＮページング手順を実施することを求める要求を送るように設定される。
【０１１８】
他の例において、第２のＣＮページング手順を実施することを求める要求をＣＮノードに送るように設定されているＲＡＮノードは、ＣＮノードに、実施されるＲＡＮページング手順に関する情報を提供するように設定されているＲＡＮノードを含む。
【０１１９】
また他の例において、ＲＡＮノードは、実施されたＲＡＮページング手順の結果を評価することと、評価されている結果に基づいてページング戦略情報を更新することと、ＣＮノードとページング戦略情報を交換することとを行うようにさらに設定される。
【０１２０】
さらなる例において、ＲＡＮノードは、ページング遅延が所定の時間間隔内であるか否かを決定することによって、実施されたページング手順の結果を評価するように設定される。
【０１２１】
本明細書における実施形態はまた、ワイヤレス通信ネットワークにおいてワイヤレスデバイスをページングするためのＣＮノードにも関する。そのようなＣＮノードの異なる実施形態および例を、ここで図６および図７を参照しながら記載する。
【０１２２】
図６および図７は、ページング戦略情報を無線アクセスネットワーク（ＲＡＮ）ノードと交換することと、ＲＡＮノードから、ワイヤレスデバイスをページングすることを求める要求を受信することと、受信された要求に従ってワイヤレスデバイスのページングを実施することとを行うように設定されているＣＮノードを図解する。
【０１２３】
ＣＮノードは、種々の方法で実装または実現することができる。第１の例示的な実施態様または実現形態が、図６に図解されている。図６は、プロセッサ６２１と、メモリ６２２とを備えるＣＮノード６００を図解しており、メモリは、例えば、コンピュータプログラム６２３を用いることによって、プロセッサ６２１によって実行されると、ＣＮノード６００に、ページング戦略情報をＲＡＮノードと交換することと、ＲＡＮノードから、ワイヤレスデバイスをページングすることを求める要求を受信することと、受信された要求に従ってワイヤレスデバイスのページングを実施することとを行わせる命令を含む。
【０１２４】
図６はまた、メモリ６１０を備えるＣＮノード６００をも図解する。図６は例示的な図解に過ぎず、メモリ６１０は、任意選択であってもよく、メモリ６２２の一部であってもよく、または、ＣＮノード６００のさらなるメモリであってもよいことが指摘されるべきである。メモリは、例えば、例証となる実施例をいくつか挙げてみると、ＣＮノード６００、ＣＮノード６００の動作の統計に関係する情報を含み得る。図６は、メモリ６２２およびプロセッサ６２１を備える処理手段６２０を備えるＣＮノード６００をさらに図解する。またさらに、図６は、通信ユニット６３０を備えるＣＮノード６００を図解する。通信ユニット６３０は、ＣＮノード６００が通信ネットワークの他のノードまたはエンティティおよび他の通信ユニットと通信するインターフェースを含むことができる。図６はまた、さらなる機能６４０を備えるＣＮノード６００をも図解する。さらなる機能６４０は、ＣＮノード６００が本明細書においては開示されていない種々のタスクを実施するのに必要なハードウェアまたはソフトウェアを含んでもよい。
【０１２５】
ＲＡＮノード７００の代替的な例示的実施態様が、図７に図解されている。図７は、ＲＡＮノードとページング戦略情報を交換するための交換ユニット７０３を備えるＣＮノード７００を図解する。ＣＮノード７００は、ＲＡＮノードから、ワイヤレスデバイスをページングすることを求める要求を受信するための受信ユニット７０４と、受信された要求に従ってワイヤレスデバイスのページングを実施するための実施ユニット７０５とをさらに備える。
【０１２６】
図７において、ＣＮノード７００はまた、通信ユニット７０１を備えて図解されてもいる。このユニットを通じて、ＣＮノード７００は、ワイヤレス通信ネットワーク内の他のノードおよび／またはエンティティと通信するように適合される。通信ユニット７０１は、２つ以上の受信構成を備えることができる。例えば、通信ユニット７０１は、ワイヤとアンテナの両方に接続することができ、ワイヤおよびアンテナを用いることによって、ＣＮノード７００は、ワイヤレス通信ネットワーク内の他のノードおよび／またはエンティティと通信することを有効にされる。同様に、通信ユニット７０１は、２つ以上の送信構成を備えることができ、送信構成は、ワイヤとアンテナの両方に接続され、それを用いることによって、ＣＮノード７００は、ワイヤレス通信ネットワーク内の他のノードおよび／またはエンティティと通信することを有効にされる。ＣＮノード７００は、データを記憶するためのメモリ７０２を備えてさらに図解されている。さらに、ＣＮノード７００は、制御または処理ユニット（図示せず）を備えることができ、当該ユニットは、種々のユニット７０３〜７０５に接続される。これは例証となる実施例に過ぎず、ＣＮノード７００は、（図示せず）７に示すものと同じようにＣＮノード７００の機能を実行するより多くの、より少ないまたは他のユニットまたはモジュールを備えてもよいことが指摘されるべきである。
【０１２７】
図７はＣＮノード７００内の様々な機能ユニットを論理的な意味で図解しているに過ぎないことが留意されるべきである。実際の機能は、任意の適切なソフトウェアおよびハードウェア手段／回路などを使用して実装されてもよい。したがって、実施形態は一般に、ＣＮノード７００および機能ユニットの図示されている構造に限定されない。それゆえ、前述の例示的な実施形態は、多くの方法で実現することができる。例えば、１つの実施形態は、ＣＮノード７００において方法ステップを実行するために制御または処理ユニットによって実行可能である、命令を記憶されているコンピュータ可読媒体を含む。コンピューティングシステムによって実行可能であり、コンピュータ可読媒体に記憶されている命令は、特許請求の範囲において記載されているようなＣＮノード７００の方法ステップを実施する。
【０１２８】
ワイヤレスデバイスをページングすることを求める、ＲＡＮノードから受信された要求が、ＣＮノードに、ＲＡＮノードからページング手順を引き継ぐように要求する一実施例において、ページング手順を実施するように設定されているＣＮノードは、ページング戦略情報、および、任意選択的に、ＲＡＮノードから受信された要求内に含まれる情報をページング手順に適用するように設定されているＣＮノードを含む。
【０１２９】
他の例において、ＣＮノードは、実施されたＲＡＮページング手順の結果を評価することと、評価されている結果に基づいてページング戦略情報を更新することと、実施されたページング手順の結果が、ワイヤレスデバイスへの到達の成功であるときに、ＲＡＮノードとページング戦略情報を交換することとを行うようにさらに設定される。
【０１３０】
ワイヤレスデバイスをページングすることを求める、ＲＡＮノードから受信された要求が、ＣＮノードに、ページング試行を実施することを要求する、また他の実施例において、受信された要求は、ＣＮノードが要求されているページング試行を実施することを有効にする情報を含み、ＣＮノードは、受信された要求に従って、かつ、ＲＡＮノードから受信された要求内に含まれる情報に照らしてワイヤレスデバイスのページングを実施するように設定される。
【０１３１】
さらなる例において、ＣＮノードは、実施されたＲＡＮページング手順の結果を評価することと、評価されている結果に基づいてページング戦略情報を更新することと、実施されたページング手順の結果が、ワイヤレスデバイスへの到達の成功であるときに、ＲＡＮノードとページング戦略情報を交換することとを行うようにさらに設定される。
【０１３２】
別の例において、ＣＮノードは、ＲＡＮノードにおいてＵＥコンテクストを確立するようにさらに設定される。
【０１３３】
図８は、ＲＡＮノード５００内の構成８００の一実施形態を概略的に示す。ＲＡＮノード５００内の構成８００内には、ここでは、例えば、デジタル信号プロセッサ（ＤＳＰ）を有する処理ユニット８０６が含まれている。処理ユニット８０６は、本明細書において記載されている手順の種々の措置を実施するための単一のユニットまたは複数のユニットであってもよい。ＲＡＮノード５００の構成８００はまた、他のエンティティから信号を受信するための入力ユニット８０２と、他のエンティティに信号を提供するための出力ユニット８０４とをも備えることができる。入力ユニットおよび出力ユニットは、統合エンティティとして、または、図５の例において図解されているように、１つまたは複数のインターフェース５０１として構成することができる。
【０１３４】
さらに、ＲＡＮノード５００内の構成８００は、不揮発性メモリ、例えば、電気的消去可能プログラマブル読み出し専用メモリ（ＥＥＰＲＯＭ）、フラッシュメモリおよびハードドライブの形態の少なくとも１つのコンピュータプログラム製品８０８を備える。コンピュータプログラム製品８０８は、ＲＡＮノード５００内の構成８００内の処理ユニット８０６において実行されると、ＲＡＮノードに、例えば、図１ａ〜図１ｄとともに先行して記載されている手順の措置を実施させるコード手段を含む、コンピュータプログラム８１０を備える。
【０１３５】
コンピュータプログラム８１０は、コンピュータプログラムモジュール８１０ａ〜８１０ｅに構築されているコンピュータプログラムコードとして設定されてもよい。したがって、例示的な実施形態において、ＲＡＮノード５００内の構成８００のコンピュータプログラム内のコード手段は、ＣＮノードとページング戦略情報を交換するための交換ユニットまたは交換モジュールを備える。コンピュータプログラムは、交換されたページング戦略情報に従ってワイヤレスデバイスのＲＡＮページング手順を実施するための実施ユニットまたは実施モジュールと、実施されたページング手順の結果に基づいて、ページング戦略情報を更新するための更新ユニットまたは更新モジュールとをさらに備える。
【０１３６】
コンピュータプログラムモジュールは、本質的に、ＲＡＮノード５００をエミュレートするために、図１ａ〜図１ｄに図解されているフローの措置を実施することができる。言い換えれば、種々のコンピュータプログラムモジュールが処理ユニット８０６において実行されるとき、それらのモジュールは、図５のユニット５０３〜５０５に対応することができる。
【０１３７】
図９は、ＣＮノード７００内の構成９００の一実施形態を概略的に示す。ＣＮノード７００内の構成９００内には、ここでは、例えば、デジタル信号プロセッサを有する処理ユニット９０６が含まれている。処理ユニット９０６は、本明細書において記載されている手順の種々の措置を実施するための単一のユニットまたは複数のユニットであってもよい。ＣＮノード７００の構成９００はまた、他のエンティティから信号を受信するための入力ユニット９０２と、他のエンティティに信号を提供するための出力ユニット９０４とをも備えることができる。入力ユニットおよび出力ユニットは、統合エンティティとして、または、図７の例において図解されているように、１つまたは複数のインターフェース７０１として構成することができる。
【０１３８】
さらに、ＣＮノード７００内の構成９００は、不揮発性メモリ、例えば、電気的消去可能プログラマブル読み出し専用メモリ（ＥＥＰＲＯＭ）、フラッシュメモリおよびハードドライブの形態の少なくとも１つのコンピュータプログラム製品９０８を備える。コンピュータプログラム製品９０８は、ＣＮノード７００内の処理ユニット９０６において実行されると、ＣＮノード７００に、例えば、図２ａ〜図２ｃとともに先行して記載されている手順の措置を実施させるコード手段を含む、コンピュータプログラム９１０を備える。
【０１３９】
コンピュータプログラム９１０は、コンピュータプログラムモジュール９１０ａ〜９１０ｅに構築されているコンピュータプログラムコードとして設定されてもよい。したがって、例示的な実施形態において、ＣＮノード７００内のコンピュータプログラム内のコード手段は、無線アクセスネットワーク（ＲＡＮ）ノードとページング戦略情報を交換するための交換ユニットまたはモジュールを備える。コンピュータプログラムは、ＲＡＮノードから、ワイヤレスデバイスをページングすることを求める要求を受信するための受信ユニットまたはモジュールと、受信された要求に従ってワイヤレスデバイスのページングを実施するための実施ユニットまたはモジュールとをさらに備える。
【０１４０】
コンピュータプログラムモジュールは、本質的に、ＣＮノード７００をエミュレートするために、図２ａ〜図２ｃに図解されているフローの措置を実施することができる。言い換えれば、種々のコンピュータプログラムモジュールが処理ユニット９０６において実行されるとき、それらのモジュールは、図７のユニット７０３〜７０５に対応することができる。
【０１４１】
図５および図７とともに上記で開示されているそれぞれの実施形態内のコード手段は、それぞれの処理ユニット内で実行されると、それぞれＲＡＮノードおよびＣＮノードに、上記で言及されている図面とともに上述した措置を実施させるコンピュータプログラムモジュールとして実装されているが、コード手段のうちの少なくとも１つは、代替的な実施形態においては、少なくとも部分的に、ハードウェア回路として実装されてもよい。
【０１４２】
プロセッサは、単一の中央処理装置（ＣＰＵ）であってもよいが、また、２つ以上の処理装置を含んでもよい。例えば、プロセッサは、汎用マイクロプロセッサ、命令セットプロセッサおよび／または関連チップセットおよび／または特定用途向け集積回路（ＡＳＩＣ）のような専用マイクロプロセッサを含んでもよい。プロセッサはまた、キャッシュを目的としたボードメモリをも備えてもよい。コンピュータプログラムは、プロセッサに接続されているコンピュータプログラム製品によって担持され得る。コンピュータプログラム製品は、コンピュータプログラム製品が記憶されているコンピュータ可読媒体を含むことができる。例えば、コンピュータプログラム製品は、フラッシュメモリ、ランダムアクセスメモリ（ＲＡＭ）、読み出し専用メモリ（ＲＯＭ）、またはＥＥＰＲＯＭであってもよく、上述したコンピュータプログラムモジュールは、代替的な実施形態においては、それぞれＲＡＮノードおよびＣＮノード内でメモリの形態の複数の異なるコンピュータプログラム製品上に分散されてもよい。
【０１４３】
本開示内の相互作用するユニットの選択、および、ユニットの命名は、例示を目的としたものに過ぎず、上述した方法のいずれかを実行するのに適したノードが、示唆されている手順の措置を実行することが可能であるように、複数の代替的な方法において設定されてもよいことは理解されたい。
【０１４４】
本開示において記載されているユニットは、論理エンティティとして考えられるべきであり、別個の物理エンティティとして考えられる必要はないことも留意されるべきである。
【０１４５】
実施形態はいくつかの実施形態に関連して記載されているが、その代替形態、修正形態、置換形態および均等物が本明細書の読解および図面の研究を受けて明らかになることが企図されている。それゆえ、添付の特許請求の範囲は、実施形態の範囲内に入り、添付の特許請求の範囲によって規定されるような、代替形態、修正形態、置換形態および均等物を含むことが意図されている。
【図１ａ】
2019525665.tif 000003
【図１ｂ】
2019525665.tif 000004
【図１ｃ】
2019525665.tif 000005
【図１ｄ】
2019525665.tif 000006
【図２ａ】
2019525665.tif 000007
【図２ｂ】
2019525665.tif 000008
【図２ｃ】
2019525665.tif 000009
【図３ａ】
2019525665.tif 000010
【図３ｂ】
2019525665.tif 000011
【図３ｃ】
2019525665.tif 000012
【図３ｄ】
2019525665.tif 000013
【図４】
2019525665.tif 000014
【図５】
2019525665.tif 000015
【図６】
2019525665.tif 000016
【図７】
2019525665.tif 000017
【図８】
2019525665.tif 000018
【図９】
2019525665.tif 000019
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおいてワイヤレスデバイスをページングするための無線アクセスネットワーク（ＲＡＮ）ノードによって実施される方法であって、
ページング戦略情報をコアネットワーク（ＣＮ）ノードと交換すること（１１０）と、
前記交換されたページング戦略情報に従って前記ワイヤレスデバイスのＲＡＮページング手順を実施すること（１２０）と、
前記実施されたＲＡＮページング手順の結果に基づいて、前記ページング戦略情報を更新すること（１８０）と、
前記実施されているＲＡＮページング手順の前記結果が、
ａ）前記ワイヤレスデバイスに到達するのに失敗した、または
ｂ）所定のタイムフレーム内に前記ワイヤレスデバイスに到達するのに失敗した、または
ｃ）前記ＲＡＮノードによって決定される他の理由に起因して失敗した
であるとき、前記ワイヤレスデバイスのＣＮページング手順を実施することを求める要求を前記ＣＮノードに送ること（１３０）と
を含む、方法（１００）。
【請求項２】
前記ページング戦略情報を前記更新すること（１８０）は、前記ＣＮノードから更新されたページング戦略情報を受信することを含む、請求項１に記載の方法（１００）。
【請求項３】
前記ページング戦略情報を前記更新すること（１８０）は、前記実施されたページング手順の結果を評価することを含む、請求項１または２に記載の方法（１００）。
【請求項４】
前記ページング戦略情報を前記交換すること（１１０）は、エボルブド無線アクセスベアラ（Ｅ−ＲＡＢ）管理手順のメッセージ内の１つまたは複数の情報要素によって、および／または、ユーザ機器（ＵＥ）コンテクスト管理手順のメッセージ内の１つまたは複数の情報要素によって、および／または、前記ＲＡＮノードと前記ＣＮノードとの間の制御シグナリングによって実施される、請求項１から３のいずれか一項に記載の方法（１００）。
【請求項５】
前記ＣＮページング手順は、前記ＣＮノードが前記ワイヤレスデバイスをページングする責任を引き継ぐ第１のＣＮページング手順である、請求項１から４のいずれか一項に記載の方法（１００）。
【請求項６】
前記ワイヤレスデバイスの前記第１のＣＮページング手順を実施することを求める前記要求（１３０）を前記ＣＮノードに前記送ることは、前記ＣＮノードに、前記実施されるＲＡＮページング手順に関する情報を提供することを含む、請求項５に記載の方法（１００）。
【請求項７】
前記ＣＮページング手順は、前記ＲＡＮノードが前記ワイヤレスデバイスをページングする責任を保持する第２のＣＮページング手順である、請求項１から６のいずれか一項に記載の方法（１００）。
【請求項８】
前記第２のＣＮページング手順を実施することを求める前記要求（１４０）を前記ＣＮノードに前記送ることは、前記ＣＮノードに、前記実施されるＲＡＮページング手順に関する情報を提供することを含む、請求項７に記載の方法（１００）。
【請求項９】
ワイヤレス通信ネットワークにおいてワイヤレスデバイスをページングするためのコアネットワーク（ＣＮ）ノードによって実施される方法（２００）であって、前記方法（２００）は、
ページング戦略情報を無線アクセスネットワーク（ＲＡＮ）ノードと交換すること（２１０）と、
前記ワイヤレスデバイスをページングすることを求める要求を、前記ＲＡＮノードから受信すること（２２０）と、
前記受信された要求に従って前記ワイヤレスデバイスの前記ページングを実施すること（２３０）と
を含み、
前記実施されたページング手順の前記結果が、前記ワイヤレスデバイスへの到達の成功であるとき、前記方法（２００）は、
前記実施されたページング手順の前記結果を評価すること（２４０）と、
前記評価された結果に基づいて前記ページング戦略情報を更新すること（２５０）と、
前記ＲＡＮノードとページング戦略情報を交換すること（２１０）と
をさらに含む、方法（２００）。
【請求項１０】
前記ワイヤレスデバイスをページングすることを求める、前記ＲＡＮノードから受信された前記要求は、前記ＣＮノードに、前記ＲＡＮノードから前記ページング手順を引き継ぐように要求し、前記ページング手順を前記実施すること（２３０）は、前記ページング戦略情報、および、任意選択的に、前記ＲＡＮノードから受信された前記要求内に含まれる情報を前記ページング手順に適用することを含む、請求項９に記載の方法（２００）。
【請求項１１】
前記ワイヤレスデバイスをページングすることを求める、前記ＲＡＮノードから受信された前記要求は、前記ＣＮノードに、ページング試行を実施することを要求し、前記受信された要求は、前記ＣＮノードが前記要求されているページング試行を実施することを有効にする情報を含み、前記ワイヤレスデバイスの前記ページングを前記実施すること（２３０）は、前記受信された要求に従って、かつ、前記ＲＡＮノードから受信された前記要求内に含まれる情報に照らして実施される、請求項９に記載の方法（２００）。
【請求項１２】
前記方法（２００）は、ＲＡＮノードにおけるＵＥコンテクストを確立すること（２６０）をさらに含む、請求項９から１１のいずれか一項に記載の方法（２００）。
【請求項１３】
ワイヤレス通信ネットワークにおいてワイヤレスデバイスをページングするための無線アクセスネットワーク（ＲＡＮ）ノード（４００、５００）であって、前記ＲＡＮノード（４００、５００）は、
ページング戦略情報をコアネットワーク（ＣＮ）ノードと交換することと、
前記交換されたページング戦略情報に従って前記ワイヤレスデバイスのＲＡＮページング手順を実施することと、
前記実施されたＲＡＮページング手順の結果に基づいて、前記ページング戦略情報を更新することと、
前記実施されたＲＡＮページング手順の前記結果が、
ａ）前記ワイヤレスデバイスに到達するのに失敗した、または
ｂ）所定のタイムフレーム内に前記ワイヤレスデバイスに到達するのに失敗した、または
ｃ）前記ＲＡＮノードによって決定される他の理由に起因して失敗した
であるとき、前記ワイヤレスデバイスのＣＮページング手順を実施することを求める要求を前記ＣＮノードに送ること（１３０）と
を行うように設定されている、ＲＡＮノード（４００、５００）。
【請求項１４】
請求項２から８のいずれか一項に記載の方法（２００）を実施するようにさらに構成されている、請求項１３に記載のＲＡＮノード（４００、５００）。
【請求項１５】
ワイヤレス通信ネットワークにおいてワイヤレスデバイスをページングするためのコアネットワーク（ＣＮ）ノード（６００、７００）であって、前記ＣＮノード（６００、７００）は、
ページング戦略情報を無線アクセスネットワーク（ＲＡＮ）ノードと交換することと、
前記ワイヤレスデバイスをページングすることを求める要求を、前記ＲＡＮノードから受信することと、
前記受信された要求に従って前記ワイヤレスデバイスの前記ページングを実施することと
を行うように設定されており、
前記実施されたページング手順の前記結果が、前記ワイヤレスデバイスへの到達の成功であるとき、前記ＣＮノード（６００、７００）は、
前記実施されたページング手順の前記結果を評価することと、
前記評価された結果に基づいて前記ページング戦略情報を更新することと、
前記ＲＡＮノードとページング戦略情報を交換することと
を行うようにさらに設定されている、ＣＮノード（６００、７００）。
【請求項１６】
請求項１０から１２のいずれか一項に記載の方法（２００）を実施するようにさらに設定されている、請求項１５に記載のＣＮノード（６００、７００）。
【請求項１７】
請求項１３または１４に記載の無線アクセスネットワーク（ＲＡＮ）ノード（５００）内の構成（８００）内に含まれる処理ユニット（８０６）において作動されると、前記ＲＡＮノード（５００）に、請求項１から８のいずれか一項に記載の対応する方法を実施させるコンピュータ可読コード手段を備える、コンピュータプログラム（８１０）。
【請求項１８】
請求項１７に記載のコンピュータプログラム（８１０）を備える、コンピュータプログラム製品（８０８）。
【請求項１９】
請求項１５または１６に記載のコアネットワーク（ＣＮ）ノード（７００）内の構成（９００）内に含まれる処理ユニット（９０６）において作動されると、前記ＣＮノード（７００）に、請求項９から１２のいずれか一項に記載の対応する方法を実施させるコンピュータ可読コード手段を備える、コンピュータプログラム（９１０）。
【請求項２０】
請求項１９に記載のコンピュータプログラム（９１０）を備える、コンピュータプログラム製品（９０８）。
【国際調査報告】
2019525665.tif 000020
2019525665.tif 000021